(57)【要約】【課題】第１画像と、当該第１画像を表示可能な表示領域を有する他の表示装置の表示画面の前方を撮像して得られた第２画像と、を当該他の表示装置とは異なる場所に設置された表示装置に表示する際に、第２画像内の人物の視線が第１画像の表示位置の方向に向けられず不自然になるのを防止できる情報処理装置、表示制御システムおよびプログラムを提供する。【解決手段】第１画像と、当該第１画像を表示可能な第１表示装置の表示画面側から当該表示画面の前方を撮像部により撮像して得られた第２画像と、を第１表示装置とは異なる場所に設置された第２表示装置に表示させる情報処理装置であって、第１画像と第２画像とを第２表示装置に向かって左右方向に並べて表示させる場合、第２表示装置に向かって第２画像の表示位置を基準とする第１画像の左右方向の表示位置が、表示画面に向かって撮像部の位置を基準とする第１画像の左右方向の表示位置の反対にする。【選択図】図１
2014175941.tif 000002
【特許請求の範囲】
【請求項１】
第１画像と、当該第１画像を表示可能な第１表示装置の表示画面側から当該表示画面の前方を撮像部により撮像して得られた第２画像と、を前記第１表示装置とは異なる場所に設置された第２表示装置に表示させる情報処理装置であって、
前記第１画像と前記第２画像とを前記第２表示装置に向かって左右方向に並べて表示させる場合、前記第２表示装置に向かって前記第２画像の表示位置を基準とする前記第１画像の左右方向の表示位置が、前記表示画面に向かって前記撮像部の位置を基準とする前記第１画像の左右方向の表示位置の反対になるように、前記第１画像および前記第２画像を前記第２表示装置に表示させる表示制御部、
を備えた情報処理装置。
【請求項２】
前記表示画面に向かって前記撮像部を基準とする前記第１画像の左右方向の表示位置に関する位置情報を受信する受信部を備え、
前記表示制御部は、受信した前記位置情報に基づいて、前記表示画面に向かって前記撮像部の位置を基準とする前記第１画像の左右方向の表示位置の反対になるように、前記第１画像および前記第２画像を前記第２表示装置に表示させる請求項１に記載の情報処理装置。
【請求項３】
前記第２表示装置に向かって前記第２画像の表示位置を基準とする前記第１画像の左右方向の表示位置である初期位置を設定する設定部を備え、
前記表示制御部は、前記位置情報の受信前、設定された前記初期位置に従って、前記第１画像および前記第２画像を前記第２表示装置に表示させる請求項１または２に記載の情報処理装置。
【請求項４】
前記表示制御部は、前記第１画像および前記第２画像をそれぞれ異なる複数の表示装置に表示させる請求項１から３のいずれか一に記載の情報処理装置。
【請求項５】
前記表示制御部は、前記第１画像および前記第２画像を一画面に表示させる請求項１から３のいずれか一に記載の情報処理装置。
【請求項６】
前記第２表示装置に向かって当該第２表示装置の位置を基準とする、前記第２表示装置から所定範囲内に位置する人物の左右方向の位置である人物位置を検知する検知部を備え、
前記表示制御部は、前記第２表示装置に向かって前記第２画像の表示位置を基準とする前記第１画像の左右方向の表示位置を、検知された前記人物位置側にする請求項１から５のいずれか一に記載の情報処理装置。
【請求項７】
前記第２表示装置の第２の表示画面の前方を第２の撮像部により撮像して得られた撮像画像を前記表示画面に表示させる他の情報処理装置に対して、前記第２の表示画面に向かって前記第２の撮像部の位置を基準とする前記第１画像の左右方向の表示位置に関する第２の位置情報を送信する送信部を備えた請求項１から６のいずれか一に記載の情報処理装置。
【請求項８】
第１画像と、当該第１画像を表示可能な第１表示装置の表示画面側から当該表示画面の前方を撮像部により撮像して得られた第２画像と、を前記第１表示装置とは異なる場所に設置された第２表示装置に表示させる表示制御システムであって、
前記第１画像と前記第２画像とを前記第２表示装置に向かって左右方向に並べて表示させる場合に、前記第２表示装置に向かって前記第２画像の表示位置を基準とする前記第１画像の左右方向の表示位置が、前記表示画面に向かって前記撮像部の位置を基準とする前記第１画像の左右方向の表示位置の反対になるように、前記第１画像および前記第２画像を前記第２表示装置に表示させる表示制御部、
を備えた表示制御システム。
【請求項９】
第１画像と、当該第１画像を表示可能な第１表示装置の表示画面側から当該表示画面の前方を撮像部により撮像して得られた第２画像と、を前記第１表示装置とは異なる場所に設置された第２表示装置に表示させる情報処理装置を制御するコンピュータを、
前記第１画像と前記第２画像とを前記第２表示装置に向かって左右方向に並べて表示させる場合に、前記第２表示装置に向かって前記第２画像の表示位置を基準とする前記第１画像の左右方向の表示位置が、前記表示画面に向かって前記撮像部の位置を基準とする前記第１画像の左右方向の表示位置の反対になるように、前記第１画像および前記第２画像を前記第２表示装置に表示させる表示制御部、
として機能させるためのプログラム。
【発明の詳細な説明】
【技術分野】
【０００１】
本発明は、情報処理装置、表示制御システムおよびプログラムに関する。
【背景技術】
【０００２】
例えば、テレビ会議のように、複数の場所（拠点）間においてコミュニケーションを行う場合に、当該複数の場所それぞれに設置された撮像部の撮像により得られた撮像画像（第２画像の一例）を、各場所に設置された表示部に表示させることがある。その際、撮像画像だけでなく、各場所に設置された表示部に共通に表示されコミュニケーションに用いる資料等の共通画像（第１画像の一例）も、表示部に表示させる場合がある。具体的には、コミュニケーションを行う各場所に設置されたＰＣの画面（以下、ＰＣ画面という）に、撮像画像と共通画像とを表示する技術（所謂、ＰＣ画面共有機能）が開示されている。
【発明の概要】
【発明が解決しようとする課題】
【０００３】
しかしながら、従来のＰＣ画面共有機能においては、特に、撮像画像および共通画像を表示させる表示画面が大画面である場合、ＰＣ画面における撮像画像を基準とする共通画像の位置（ＰＣ画面に向かって共通画像が撮像画像の左側か右側か）を場所間において同じにすると、撮像画像内の人物が、ＰＣ画面に向かって当該撮像画像を基準とする共通画像の位置とは反対の方向を向いているように表示される可能性がある。
【０００４】
具体的には、第１の場所のＰＣ画面に向かって撮像画像の左側に共通画像を表示した場合、第１の場所においてＰＣ画面の共通画像を見る人物の視線はＰＣ画面に向かって左方向に向けられ、第１の場所の撮像部の撮像により得られた撮像画像内の人物は右方向を向くこととなる。その際、第２の場所においてもＰＣ画面に向かって撮像画像（第１の場所の撮像部の撮像により得られた撮像画像）の左側に共通画像を表示すると、撮像画像内の人物が右方向を向いているにも関わらず、共通画像は、ＰＣ画面に向かって撮像画像の左側に表示されることとなる（すなわち、撮像画像内の人物が、ＰＣ画面に向かって当該撮像画像を基準とする共通画像の位置とは反対方向を向いてしまう）。そのため、第２の場所においてＰＣ画面を見る人には、第１の場所においてＰＣ画面を見る人が共通画像を見ていない、さらには共通画像に関心が無い印象を与える可能性がある。
【０００５】
この場合、第２の場所のＰＣ画面における撮像画像と共通画像の左右方向の位置を手動により入れ替えることも可能であるが、撮像画像内の人物がＰＣ画面に向かって当該撮像画像を基準とする共通画像の位置とは反対の方向を向いていることに気が付かない場合や、撮像画像と共通画像の左右方向の位置を入れ替える操作が煩雑である可能性もある。さらに、撮像画像に画像処理を行って、当該撮像画像内の人物の向きを変換する方法も考えられるが、撮像画像内の人物毎に画像処理を行う必要がある。そのため、撮像画像内の人物が人物毎に分割されてしまって撮像画像内の複数の人物の一体感を無くしたり、撮像画像内の背景と人物の視線方向とに矛盾が生じたり、撮像画像内の複数の人物が同じものを見ていない場合に当該複数の人物それぞれが別のものを見ている印象を与えたりする可能性がある。
【０００６】
本発明は、上記に鑑みてなされたものであって、第１画像と、当該第１画像を表示可能な表示領域を有する他の表示装置の表示画面の前方を撮像して得られた第２画像と、を当該他の表示装置とは異なる場所に設置された表示装置に表示する際に、第２画像内の人物の視線が第１画像の表示位置の方向に向けられず不自然になるのを防止できる情報処理装置、表示制御システムおよびプログラムを提供することを目的とする。
【課題を解決するための手段】
【０００７】
上述した課題を解決し、目的を達成するために、本発明は、第１画像と、当該第１画像を表示可能な第１表示装置の表示画面側から当該表示画面の前方を撮像部により撮像して得られた第２画像と、を第１表示装置とは異なる場所に設置された第２表示装置に表示させる情報処理装置であって、第１画像と第２画像とを第２表示装置に向かって左右方向に並べて表示させる場合、第２表示装置に向かって第２画像の表示位置を基準とする第１画像の左右方向の表示位置が、表示画面に向かって撮像部の位置を基準とする第１画像の左右方向の表示位置の反対になるように、第１画像および第２画像を第２表示装置に表示させる表示制御部、を備える。
【発明の効果】
【０００８】
本発明によれば、第１画像と、当該第１画像を表示可能な表示領域を有する他の表示装置の表示画面の前方を撮像して得られた第２画像と、を当該他の表示装置とは異なる場所に設置された表示装置に表示する際に、第２画像内の人物の視線が第１画像の表示位置の方向に向けられず不自然になるのを防止できる、という効果を奏する。
【図面の簡単な説明】
【０００９】
【図１】図１は、第１の実施の形態にかかる表示制御システムの構成を示す図である。
【図２】図２は、第１の実施の形態にかかる情報処理装置における共通画像および撮像画像それぞれの左右方向の表示位置を説明するための図である。
【図３】図３は、第１の実施の形態にかかる情報処理装置のハードウェア構成を示すブロック図である。
【図４】図４は、第１の実施の形態にかかる情報処理装置の機能構成を示すブロック図である。
【図５】図５は、接続要求の受信側の情報処理装置の機能構成を示すブロック図である。
【図６】図６は、接続要求の送信側の情報処理装置の機能構成を示すブロック図である。
【図７】図７は、第１の実施の形態にかかる情報処理装置における画像の表示処理の流れを示すフローチャートである。
【図８】図８は、第１の実施の形態にかかるカメラ表示位置関係取得部による位置情報の取得方法を説明するための図である。
【図９】図９は、第１の実施の形態にかかる情報処理装置が有する位置関係記憶部に記憶される位置情報および共通画像位置の一例を示す図である。
【図１０】図１０は、第１の実施の形態にかかる情報処理装置が有する位置関係決定部による共通画像位置を設定する処理の流れを示すフローチャートである。
【図１１】図１１は、第１の実施の形態にかかる情報処理装置による共通画像および撮像画像の表示位置を説明するための図である。
【図１２】図１２は、第１の実施の形態にかかる情報処理装置による共通画像および撮像画像の表示位置を説明するための図である。
【図１３】図１３は、第１の実施の形態にかかる情報処理装置による共通画像および撮像画像の表示位置を説明するための図である。
【図１４】図１４は、第１の実施の形態にかかる情報処理装置による共通画像および撮像画像の表示位置を説明するための図である。
【図１５】図１５は、第２の実施の形態にかかる情報処理装置の構成を示す図である。
【図１６】図１６は、第２の実施の形態にかかる情報処理装置の機能構成を示すブロック図である。
【図１７】図１７は、接続要求の受信側の情報処理装置の機能構成を示すブロック図である。
【図１８】図１８は、接続要求の送信側の情報処理装置の機能構成を示すブロック図である。
【図１９】図１９は、変形例１にかかる情報処理装置による共通画像および複数の撮像画像の表示例を示す図である。
【図２０】図２０は、変形例１にかかる情報処理装置による共通画像および複数の撮像画像の表示例を示す図である。
【図２１】図２１は、変形例１にかかる情報処理装置による共通画像および複数の撮像画像の表示例を示す図である。
【図２２】図２２は、第３の実施の形態にかかる情報処理装置における共通画像および撮像画像それぞれの左右方向の表示位置を説明するための図である。
【図２３】図２３は、第３の実施の形態にかかる情報処理装置における共通画像および撮像画像それぞれの左右方向の表示位置を説明するための図である。
【図２４】図２４は、第３の実施の形態にかかる情報処理装置の機能構成を示すブロック図である。
【図２５】図２５は、接続要求の受信側の情報処理装置の機能構成を示すブロック図である。
【図２６】図２６は、接続要求の送信側の情報処理装置の機能構成を示すブロック図である。
【図２７】図２７は、第３の実施の形態にかかる情報処理装置における画像の表示処理の流れを示すフローチャートである。
【図２８】図２８は、第３の実施の形態にかかる情報処理装置が有する位置関係決定部による共通画像位置を設定する処理の流れを示すフローチャートである。
【図２９】図２９は、第４の実施の形態にかかる表示制御システムの構成を示す図である。
【図３０】図３０は、第４の実施の形態にかかる表示制御システムの構成を示す図である。
【図３１】図３１は、第４の実施の形態にかかる情報処理装置の機能構成を示すブロック図である。
【図３２】図３２は、第４の実施の形態にかかる情報処理装置が有する説明者検知部による説明者位置の検知処理を説明するための図である。
【図３３】図３３は、第４の実施の形態にかかる情報処理装置の他の機能構成を示すブロック図である。
【図３４】図３４は、第４の実施の形態にかかる情報処理装置が有する位置関係決定部による共通画像位置を設定する処理の流れを示すフローチャートである。
【発明を実施するための形態】
【００１０】
以下に添付図面を参照して、情報処理装置、表示制御システムおよびプログラムの実施の形態を詳細に説明する。
【００１１】
（第１の実施の形態）
図１は、第１の実施の形態にかかる表示制御システムの構成を示す図である。本実施の形態にかかる表示制御システム１は、例えばテレビ会議システムなどのコミュニケーションシステムであり、異なる場所（本実施の形態では、第１拠点および第２拠点）に設置された表示装置Ｈ（本実施の形態では、主表示装置Ｈ１および副表示装置Ｈ２）の表示画面Ｇ（本実施の形態では、主表示画面Ｇ１および副表示画面Ｇ２）に表示された画像を見ながら、場所間において会議への参加者Ｕが行うコミュニケーションに用いられるシステムである。本実施の形態では、表示制御システム１をテレビ会議システムに適用した例について説明するが、場所間における教師と生徒間のコミュニケーションに用いられる教育システムにも適用可能である。
【００１２】
表示制御システム１は、図１に示すように、それぞれ異なる拠点に設置された複数の情報処理装置２（本実施の形態では、第１拠点に設置された情報処理装置２Ａおよび第２拠点に設置された情報処理装置２Ｂ）を備え、当該複数の情報処理装置２はネットワークＮ（図４参照）を介して相互に通信可能に接続されている。情報処理装置２は、例えば、遠隔会議端末などのコミュニケーション端末である。
【００１３】
第１拠点に設置された情報処理装置２Ａは、共通画像Ｐ１（例えば、会議の資料等の画像）と、第２拠点に設置され共通画像Ｐ１を表示可能な表示装置Ｈの表示画面Ｇ側から当該表示画面Ｇの前方を撮像部Ｓにより撮像して得られた撮像画像Ｐ２（第２画像の一例）と、を第１拠点に設置された表示装置Ｈの表示画面Ｇに表示させる。本実施の形態では、各拠点の撮像部Ｓは、各拠点の参加者Ｕを当該参加者Ｕの正面から撮像するように設置されている。ここで、共通画像Ｐ１は、第１拠点の表示装置Ｈおよび第２拠点の表示装置Ｈに共通に表示される第１画像の一例である。本実施の形態では、共通画像Ｐ１は、会議の資料等を撮像して得られた資料画像や各拠点の情報処理装置２に記憶された共通画像などである。
【００１４】
図１においては、第１拠点に設置された情報処理装置２Ａは、第１拠点の参加者Ｕから見て（言い換えると、第１拠点に設置された表示装置Ｈの表示画面Ｇに向かって）、左側（主表示装置Ｈ１の主表示画面Ｇ１）に共通画像Ｐ１を表示させ、右側（副表示装置Ｈ２の副表示画面Ｇ２）に撮像画像Ｐ２を表示させている。すなわち、第１拠点に設置された情報処理装置２Ａは、第１拠点に設置された表示装置Ｈ（表示画面Ｇ）に向かって、共通画像Ｐ１および撮像画像Ｐ２を左右方向に並べて表示させる。
【００１５】
第２拠点に設置された情報処理装置２Ｂは、共通画像Ｐ１と、第１拠点に設置され共通画像Ｐ１を表示可能な表示装置Ｈの表示画面Ｇ側から当該表示画面Ｇの前方を撮像部Ｓにより撮像して得られた撮像画像Ｐ３（第２画像の一例）と、を第２拠点に設置された表示装置Ｈの表示画面Ｇに表示させる。
【００１６】
図１においては、第２拠点に設置された情報処理装置２Ｂは、第２拠点の参加者Ｕから見て（言い換えると、第２拠点に設置された表示装置Ｈの表示画面Ｇに向かって）、左側（主表示装置Ｈ１の主表示画面Ｇ１）に撮像画像Ｐ３を表示させ、右側（副表示装置Ｈ２の副表示画面Ｇ２）に共通画像Ｐ１を表示させている。すなわち、第２拠点に設置された情報処理装置２Ｂは、第２拠点に設置された表示装置Ｈ（表示画面Ｇ）に向かって、共通画像Ｐ１および撮像画像Ｐ３を左右方向に並べて表示させる。
【００１７】
そして、第１拠点に設置された情報処理装置２Ａは、第１拠点に設置された表示装置Ｈの表示画面Ｇに向かって撮像部Ｓの位置を基準とする共通画像Ｐ１の左右方向の表示位置に関する位置情報を、第２拠点に設置された情報処理装置２Ｂに送信する。また、第１拠点に設置された情報処理装置２Ａは、第２拠点に設置された表示装置Ｈの表示画面Ｇに向かって撮像部Ｓの位置を基準とする共通画像Ｐ１の左右方向の表示位置に関する位置情報を、第２拠点に設置された情報処理装置２Ｂから受信する。
【００１８】
一方、第２拠点に設置された情報処理装置２Ｂは、第２拠点に設置された表示装置Ｈの表示画面Ｇに向かって撮像部Ｓの位置を基準とする共通画像Ｐ１の左右方向の表示位置に関する位置情報を、第１拠点に設置された情報処理装置２Ａに送信する。また、第２拠点に設置された情報処理装置２Ｂは、第１拠点に設置された表示装置Ｈの表示画面Ｇに向かって撮像部Ｓの位置を基準とする共通画像Ｐ１の左右方向の表示位置に関する位置情報を、第１拠点に設置された情報処理装置２Ａから受信する。
【００１９】
ここで、第１拠点に設置された情報処理装置２Ａと第２拠点に設置された情報処理装置２Ｂとの間で送受信される位置情報の一例について説明する。本実施の形態では、位置情報は、表示装置Ｈの表示画面Ｇに向かって撮像部Ｓの位置を基準とする共通画像Ｐ１の左右方向の表示位置を示す情報である。具体的には、位置情報は、表示装置Ｈの表示画面Ｇに向かって、共通画像Ｐ１の表示位置が、「撮像部の左」、「撮像部の右」および「いずれでもない」のいずれかを示す情報である。
【００２０】
「撮像部の左」とは、表示装置Ｈの表示画面Ｇに向かって撮像部Ｓが有するレンズＬ（図２参照）の光軸の左側に共通画像Ｐ１の表示位置が存在することを示している。一方、「撮像部の右」とは、表示装置Ｈの表示画面Ｇに向かって撮像部Ｓが有するレンズＬ（図２参照）の光軸の右側に共通画像Ｐ１の表示位置が存在することを示している。例えば、図１に示す第１拠点に設置された情報処理装置２Ａは、表示装置Ｈの表示画面Ｇに向かって撮像部Ｓの左側に共通画像Ｐ１の表示位置が存在するため、「撮像部の左」を位置情報として、第２拠点に設置された情報処理装置２Ｂに送信する。
【００２１】
「いずれでもない」とは、表示装置Ｈの表示画面Ｇに向かって撮像部Ｓの位置を基準とする共通画像Ｐ１の表示位置が特定できない状態を表している。例えば、「いずれでもない」とは、表示装置Ｈの表示画面Ｇに何も表示されていない状態、表示装置Ｈの表示画面Ｇにおいて共通画像Ｐ１と撮像画像Ｐ２（または撮像画像Ｐ３）が上下方向に並んで表示されている状態などである。
【００２２】
図２は、第１の実施の形態にかかる情報処理装置における共通画像および撮像画像それぞれの左右方向の表示位置を説明するための図である。図２（ａ）は、第１拠点に設置された情報処理装置２Ａを、当該情報処理装置２Ａの上方から見た図である。図２（ｂ）は、第２拠点に設置された主表示装置Ｈ１の主表示画面Ｇ１および副表示装置Ｈ２の副表示画面Ｇ２に対する共通画像Ｐ１および撮像画像Ｐ３それぞれの表示位置を説明するための図である。
【００２３】
例えば、図２（ａ）に示すように、第１拠点に設置された表示装置Ｈの表示画面Ｇに向かって、撮像部Ｓが有するレンズＬの光軸を基準として、レンズＬの光軸の左側に設置された主表示装置Ｈ１の主表示画面Ｇ１に共通画像Ｐ１を表示させた場合、第１拠点に設置された情報処理装置２Ａは、「撮像部の左」を示す位置情報を第２拠点に設置された情報処理装置２Ｂに対して送信する。この場合、参加者Ｕの視線は、第１拠点に設置された表示装置Ｈの表示画面Ｇに向かって、レンズＬの光軸の左側に向けられるため、第１拠点に設置された撮像部Ｓの撮像により得られる撮像画像Ｐ３（第２拠点に設置された表示装置Ｈに表示される撮像画像Ｐ３）に含まれる参加者Ｕの視線は、図２（ｂ）に示すように、右方向に向けられる。
【００２４】
したがって、第２拠点に設置された情報処理装置２Ｂは、図２（ｂ）に示すように、撮像画像Ｐ３に含まれる参加者Ｕの視線が向けられる方向（撮像画像Ｐ３に向かって右方向）に、共通画像Ｐ１を表示させることにより、撮像画像Ｐ３に含まれる参加者Ｕの視線が向く方向と、共通画像Ｐ１の表示位置を一致させることができるので、共通画像Ｐ１を用いてコミュニケーションを行う際、撮像画像Ｐ３内の参加者Ｕの視線が不自然になることを防止できる。
【００２５】
そこで、本実施の形態では、第２拠点に設置された情報処理装置２Ｂは、第１拠点に設置された情報処理装置２Ａから、「撮像部の左」を示す位置情報を受信した場合には、第２拠点に設置された表示装置Ｈの表示画面Ｇに向かって、撮像画像Ｐ３の表示位置の右側（本実施の形態では、副表示装置Ｈ２の副表示画面Ｇ２）に共通画像Ｐ１を表示させる。
【００２６】
すなわち、本実施の形態では、第２拠点に設置された情報処理装置２Ｂは、第２拠点に設置された表示装置Ｈ（第２表示装置の一例）に向かって撮像画像Ｐ３の表示位置を基準とする共通画像Ｐ１の左右方向の表示位置が、第１拠点に設置された表示装置Ｈ（第１表示装置の一例）の表示画面Ｇに向かって撮像部Ｓの位置を基準とする共通画像Ｐ１の左右方向の表示位置の反対になるように、共通画像Ｐ１および撮像画像Ｐ３を第２拠点に設置された表示装置Ｈに表示させる。
【００２７】
本実施の形態では、各拠点に設置された複数の表示装置それぞれと、当該複数の表示装置への共通画像Ｐ１および撮像画像Ｐ２（または撮像画像Ｐ３）の表示を制御する制御部２０（図３参照）と、を接続するケーブル（図示しない）に「右」または「左」の表示がなされている。そして、各拠点の参加者Ｕは、「左」の表示がなされたケーブルを、表示装置Ｈの表示画面Ｇに向かって左側の表示装置に接続し、「右」の表示がなされたケーブルを、表示装置Ｈの表示画面Ｇに向かって右側の表示装置に接続する。これにより、各拠点に設置された複数の表示装置のうち、表示画面Ｇに向かって左側の表示装置が主表示装置Ｈ１として機能し、表示画面Ｇに向かって右側の表示装置が副表示装置Ｈ２として機能する。
【００２８】
本実施の形態では、各拠点に設置された複数の表示装置の複数の表示画面の大きさおよび形状が同様となっているが、これに限定するものではなく、当該複数の表示画面の大きさおよび形状は表示画面間において異なっていても良い。
【００２９】
図３は、第１の実施の形態にかかる情報処理装置のハードウェア構成を示すブロック図である。以下の説明では、第２拠点に設置された情報処理装置２Ｂのハードウェア構成について説明するが、第１拠点に設置された情報処理装置２Ａも同様のハードウェア構成を有する。第２拠点に設置された情報処理装置２Ｂは、一般的なコンピュータを利用したハードウェア構成となっており、制御部２０と、通信部２１と、Ｉ／Ｏ機器制御部２２とがバスＢによって接続されて構成されている。なお、制御部２０は、ＣＰＵ（Central  Processing  Unit）、ＲＯＭ（Read  Only  Memory）、ＲＡＭ（Random  Access  Memory）などで構成される。
【００３０】
また、制御部２０には、バスＢおよびＩ／Ｏ機器制御部２２を介して、記憶部２３、操作部２４、主表示装置Ｈ１、副表示装置Ｈ２、撮像部Ｓ、マイク部２８およびスピーカ部２９などが接続されている。
【００３１】
制御部２０は、ＣＰＵがＲＯＭや記憶部２３などに格納されるプログラムをＲＡＭに展開して実行することにより、Ｉ／Ｏ機器制御部２２を介して接続される各種構成要素の動作を制御するとともに、通信部２１およびネットワークＮ（図４参照）を介して接続される、第１拠点に設置された情報処理装置２Ａとの間で各種データの送受信動作を制御する。
【００３２】
通信部２１は、ネットワークＮ（図４参照）を介して第１拠点に設置された情報処理装置２Ａとの間で、撮像画像Ｐ２、撮像画像Ｐ３、音声、位置情報などの各種データを送受信する。
【００３３】
記憶部２３は、制御部２０のＣＰＵが実行するプログラムやデータを記憶する。また、記憶部２３は、会議で使用する資料の共通画像Ｐ１などの各種情報を主表示装置Ｈ１または副表示装置Ｈ２に表示させるためのコンテンツを記憶する。例えば、上記コンテンツとしては、異なる拠点に設置させる複数の情報処理装置２間で共通に使用され、主表示装置Ｈ１や副表示装置Ｈ２に表示される資料などの共通画像Ｐ１を表示させるためのコンテンツなどが挙げられる。なお、記憶部２３は、例えば、ハードディスク装置（ＨＤＤ：Hard  Disk  Drive）やＳＳＤ（Solid  State  Drive）装置などで実現される。
【００３４】
操作部２４は、第２拠点に設置された情報処理装置２Ｂを使用する参加者Ｕの各種操作を受け付ける。なお、操作部２４は、例えば、キーボード、マウス、タッチパネルなどで実現される。
【００３５】
主表示装置Ｈ１および副表示装置Ｈ２は、撮像画像Ｐ２および共通画像Ｐ１などの電子会議に係る各種情報を表示可能である。具体的には、主表示装置Ｈ１および副表示装置Ｈ２は、共通画像Ｐ１と、第１拠点に設置された情報処理装置２Ａが有する撮像部Ｓで撮影された撮像画像Ｐ３（特に、第１拠点に居る参加者Ｕを撮像して得られた画像など）と、を表示可能である。なお、主表示装置Ｈ１および副表示装置Ｈ２は、例えば、液晶ディスプレイなどで実現される。
【００３６】
なお、本実施の形態では、図１に示すように、情報処理装置２の正面に位置する参加者Ｕから見て（言い換えると、表示装置Ｈの表示画面Ｇに向かって）左側に主表示装置Ｈ１が配置され、情報処理装置２の正面に位置する参加者Ｕから見て（言い換えると、表示装置Ｈの表示画面Ｇに向かって）右側に副表示装置Ｈ２が配置される。
【００３７】
撮像部Ｓは、表示装置Ｈの表示画面Ｇ側から当該表示画面Ｇの前方を撮像するように設けられている。本実施の形態では、撮像部Ｓは、図１に示すように、表示画面Ｇの前方に設置されて表示装置Ｈとは別体となっているが、表示画面Ｇ側から当該表示画面Ｇの前方を撮像するように設けられていれば良く、例えば、表示装置Ｈと一体化されていても良い。また、本実施の形態では、撮像部Ｓは、例えば、回転やズームが可能で且つライブ映像を撮像可能なデジタルビデオカメラなどで実現される。
【００３８】
マイク部２８は、該マイク部２８の周囲の音声を集音する。具体的には、マイク部２８は、該マイク部２８を備える情報処理装置２Ｂが設置された会議室などの空間に居る参加者Ｕの発言音声を集音する。
【００３９】
スピーカ部２９は、各種音声を出力する。具体的には、スピーカ部２９は、第１拠点に設置された情報処理装置２Ａが有するマイク部２８で集音された参加者Ｕの音声を出力する。
【００４０】
図４は、第１の実施の形態にかかる情報処理装置の機能構成を示すブロック図である。図４に示すように、情報処理装置２の制御部２０は、ＣＰＵがＲＯＭなどに記憶されているプログラムをＲＡＭに展開して実行することにより、初期位置関係決定部２０１、位置関係送信部２０２、位置関係受信部２０３、位置関係決定部２０４、位置関係記憶部２０５、映像スイッチ部２０６、第１出力部２０７、第２出力部２０８、映像受信部２０９、情報取得部２１０およびカメラ表示位置関係取得部２１１として機能する。以下の説明では、第２拠点に設置された情報処理装置２Ｂの機能構成について説明するが、第１拠点に設置された情報処理装置２Ａも同様である。
【００４１】
初期位置関係決定部２０１は、第２拠点の表示装置Ｈの表示画面Ｇに向かって撮像画像Ｐ３の表示位置を基準とする共通画像Ｐ１の表示位置である共通画像位置（初期位置）を設定する設定部として機能する。そして、初期位置関係決定部２０１は、設定した初期位置を、位置関係記憶部２０５に記憶させる。
【００４２】
ここで、初期位置（共通画像位置）は、第１拠点の情報処理装置２Ａから位置情報を受信する前に、表示装置Ｈの表示画面Ｇに向かって撮像画像Ｐ３の表示位置を基準とする共通画像Ｐ１の左右方向の表示位置である。本実施の形態では、初期位置（共通画像位置）は、共通画像Ｐ１および撮像画像Ｐ３それぞれを、主表示装置Ｈ１の主表示画面Ｇ１および副表示装置Ｈ２の副表示画面Ｇ２のいずれに表示させるかを示す情報である。より具体的には、初期位置（共通画像位置）は、「撮像画像の左」または「撮像画像の右」である。「撮像画像の左」は、第２拠点の表示装置Ｈの表示画面Ｇに向かって共通画像Ｐ１の表示位置を撮像画像Ｐ３の左側とすることを示す。一方、「撮像画像の右」は、第２拠点の表示装置Ｈの表示画面Ｇに向かって共通画像Ｐ１の表示位置を撮像画像Ｐ３の右側とすることを示す。
【００４３】
また、初期位置関係決定部２０１は、情報処理装置２毎に任意に設定可能である。具体的には、表示装置Ｈの表示画面Ｇに向かって左側に設置された主表示装置Ｈ１の主表示画面Ｇ１の方が右側に設置された副表示装置Ｈ２の副表示画面Ｇ２よりも大きい場合、主表示画面Ｇ１に共通画像Ｐ１を表示した方が使い勝手が良いことから、「撮像画像の左」を初期位置として設定する。
【００４４】
位置関係送信部２０２は、第１拠点の情報処理装置２Ａから情報処理装置２Ｂに対する接続要求があった場合に、その接続要求を受信し、第１拠点の情報処理装置２Ａとの通信が確立された段階で、位置関係記憶部２０５に記憶されている位置情報を、上記接続要求を行ってきた情報処理装置２Ａに送信する。
【００４５】
位置関係受信部２０３は、自装置から第１拠点の情報処理装置２Ａに対して接続要求を行う際に、自装置から第１拠点の情報処理装置２Ａに対して接続を要求し、第１拠点の情報処理装置２Ａとの通信が確立された段階で、第１拠点の情報処理装置２Ａから当該第１拠点の情報処理装置２Ａの位置関係記憶部２０５に記憶されている位置情報を受信する。
【００４６】
位置関係決定部２０４は、位置関係受信部２０３が受信した位置情報に基づいて、第２拠点の表示装置Ｈの表示画面Ｇに向かって撮像画像Ｐ３の表示位置を基準とする共通画像Ｐ１の左右方向の表示位置である共通画像位置（本実施の形態では、「撮像画像の左」または「撮像画像の右」）を設定し、該設定した共通画像位置によって初期位置を更新する。
【００４７】
位置関係記憶部２０５は、初期位置関係決定部２０１または位置関係決定部２０４により設定された初期位置（または共通画像位置）をＲＡＭなどの所定の記憶領域に格納して保持する。
【００４８】
映像スイッチ部２０６は、位置関係記憶部２０５に記憶された初期位置（または共通画像位置）に基づいて、共通画像Ｐ１および撮像画像Ｐ３それぞれを主表示装置Ｈ１および副表示装置Ｈ２のいずれに表示するかを判定し、その判定結果に応じて共通画像Ｐ１および撮像画像Ｐ３を映像出力部（第１出力部２０７、第２出力部２０８）に出力する。
【００４９】
第１出力部２０７は、映像スイッチ部２０６から入力された画像（共通画像Ｐ１または撮像画像Ｐ３）を主表示装置Ｈ１に出力する。これにより、主表示装置Ｈ１は、入力された画像（共通画像Ｐ１または撮像画像Ｐ３）を、主表示画面Ｇ１に表示する。
【００５０】
第２出力部２０８は、映像スイッチ部２０６から入力された画像（共通画像Ｐ１または撮像画像Ｐ３）を副表示装置Ｈ２に出力する。これにより、副表示装置Ｈ２は、入力された画像（共通画像Ｐ１または撮像画像Ｐ３）を、副表示画面Ｇ２に表示する。
【００５１】
映像受信部２０９は、ネットワークＮを介して第１拠点の情報処理装置２Ａから撮像画像Ｐ３を受信する。
【００５２】
情報取得部２１０は、ネットワークＮを介して第１拠点の情報処理装置２Ａから共通画像Ｐ１を取得する。
【００５３】
カメラ表示位置関係取得部２１１は、第２拠点の表示装置Ｈの表示画面Ｇに向かって撮像部Ｓの位置を基準とする共通画像Ｐ１の左右方向の表示位置に関する位置情報を取得して、取得した位置情報を位置関係記憶部２０５に記憶させる。
【００５４】
本実施の形態では、表示制御システム１は、第１拠点の情報処理装置２Ａおよび第２拠点の情報処理装置２Ｂの双方が、それぞれ接続要求の受信側の情報処理装置２および接続要求の送信側の情報処理装置２となるように、同様の機能構成を有しているが、これに限定するものではない。図５は、接続要求の受信側の情報処理装置の機能構成を示すブロック図である。図６は、接続要求の送信側の情報処理装置の機能構成を示すブロック図である。例えば、接続要求を受信する側の情報処理装置２は、図５に示すように、少なくとも、初期位置関係決定部２０１、位置関係送信部２０２、位置関係記憶部２０５、映像スイッチ部２０６、第１出力部２０７、第２出力部２０８、映像受信部２０９、情報取得部２１０およびカメラ表示位置関係取得部２１１を有していれば良い。一方、接続要求を送信する側の情報処理装置２は、図６に示すように、少なくとも、位置関係受信部２０３、位置関係決定部２０４、位置関係記憶部２０５、映像スイッチ部２０６、第１出力部２０７、第２出力部２０８、映像受信部２０９、および情報取得部２１０を有していれば良い。
【００５５】
次に、図７を用いて、第１の実施の形態にかかる情報処理装置２における画像の表示処理について説明する。図７は、第１の実施の形態にかかる情報処理装置における画像の表示処理の流れを示すフローチャートである。以下の説明では、第２拠点の情報処理装置２Ｂから第１拠点の情報処理装置２Ａに対して接続要求を行った場合における画像の表示処理について説明するが、第１拠点の情報処理装置２Ａから第２拠点の情報処理装置２Ｂに対して接続要求を行った場合における画像の表示処理も同様である。
【００５６】
図７に示すように、第１拠点の情報処理装置２Ａおよび第２拠点の情報処理装置２Ｂがそれぞれ起動されると（ステップＳ７０１、ステップＳ７０２）、各拠点の情報処理装置２の初期位置関係決定部２０１は、初期位置（例えば、「撮像画像の左」）を設定し、該設定した初期位置を位置関係記憶部２０５に記憶させる（ステップＳ７０３、ステップＳ７０４）。
【００５７】
各拠点の映像スイッチ部２０６は、位置関係記憶部２０５に記憶された初期位置に基づいて、情報取得部２１０により取得した共通画像Ｐ１および映像受信部２０９により受信した撮像画像Ｐ２を左右方向に並べて表示画面Ｇに表示させる。本実施の形態では、各拠点の映像スイッチ部２０６は、上述したように、初期位置に基づいて、共通画像Ｐ１および撮像画像Ｐ２それぞれを主表示装置Ｈ１および副表示装置Ｈ２のいずれに表示するかを判定し、その判定結果に応じて共通画像Ｐ１および撮像画像Ｐ２を映像出力部（第１出力部２０７、第２出力部２０８）に出力することにより、各拠点の表示画面Ｇに向かって共通画像Ｐ１および撮像画像Ｐ２を左右方向に並べて表示させる。
【００５８】
例えば、第１拠点の映像スイッチ部２０６は、初期位置が「撮像画像の左」である場合、共通画像Ｐ１を第１出力部２０７に出力して主表示画面Ｇ１に表示するとともに撮像画像Ｐ２を第２出力部２０８に出力して副表示画面Ｇ２に表示する。これにより、第１拠点の表示画面Ｇに向かって、撮像画像Ｐ２の左側に共通画像Ｐ１が並べて表示される。第２拠点の映像スイッチ部１０６も、第１拠点の映像スイッチ部１０６と同様にして、第２拠点の表示画面Ｇに向かって共通画像Ｐ１および撮像画像Ｐ３を左右方向に並べて表示させる。
【００５９】
次に、各拠点の情報処理装置２のカメラ表示位置関係取得部２１１は、各拠点の表示装置Ｈの表示画面Ｇに向かって撮像部Ｓの位置を基準とする共通画像Ｐ１の左右方向の表示位置を示す位置情報を取得する（ステップＳ７０５、ステップＳ７０６）。
【００６０】
ここで、本実施の形態にかかるカメラ表示位置関係取得部２１１による位置情報の取得方法について説明する。図８は、第１の実施の形態にかかるカメラ表示位置関係取得部による位置情報の取得方法を説明するための図である。カメラ表示位置関係取得部２１１は、初期位置に基づく共通画像Ｐ１の表示位置（例えば、主表示装置Ｈ１の主表示画面Ｇ１）に対して所定のパターン画像を表示する。次いで、カメラ表示位置関係取得部２１１は、撮像部Ｓを回転させて、表示画面Ｇを撮像可能な状態とするとともに、撮像部Ｓにより表示画面Ｇを撮像することにより得られた表示画面画像に含まれるパターン画像が、表示画面画像の中央部を基準として左側および右側のいずれに位置するかを特定する。そして、カメラ表示位置関係取得部２１１は、特定した位置を、表示画面Ｇに向かって撮像部Ｓの位置を基準とする共通画像Ｐ１の左右方向の位置とする。
【００６１】
本実施の形態では、カメラ表示位置関係取得部２１１は、表示画面Ｇに表示したパターン画像を撮像した表示画面画像を用いて、共通画像Ｐ１の左右方向の位置を示す位置情報を取得しているが、これに限定するものではない。例えば、カメラ表示位置関係取得部２１１は、操作部２４を介して情報処理装置２の操作者（参加者Ｕ）により入力された、表示画面Ｇに向かって撮像部Ｓの位置を基準とする共通画像Ｐ１の左右方向の位置を位置情報として取得しても良い。
【００６２】
図７に戻り、第２拠点の情報処理装置２Ｂが、参加者Ｕの接続要求操作に応じて、第１拠点の情報処理装置２Ａに対して接続要求を送信する（ステップＳ７０７）。第２拠点の参加者Ｕが情報処理装置２Ｂを操作して、第１拠点の表示装置Ｈおよび第２拠点の表示装置Ｈの両方に表示させる共通画像Ｐ１を設定した場合には、第２拠点の情報処理装置２Ｂは、接続要求に共通画像Ｐ１を含めて第１拠点の情報処理装置２Ａに送信する。
【００６３】
第１拠点の情報処理装置２Ａが接続要求を受信すると（ステップＳ７０８）、第１拠点の位置関係送信部２０２は、位置関係記憶部２０５に記憶されている位置情報（例えば、「撮像部の左」）を、第２拠点の情報処理装置２Ｂに送信する（ステップＳ７０９）。
【００６４】
次に、第２拠点の情報処理装置２Ｂが有する位置関係受信部２０３が、第１拠点の情報処理装置２Ａから送信された位置情報を受信する（ステップＳ７１０）。続いて、第２拠点の位置関係決定部２０４は、受信した位置情報（例えば、「撮像部の左」）に基づいて、第２拠点の表示装置Ｈの表示画面Ｇに向かって撮像画像Ｐ３の表示位置を基準とする共通画像Ｐ１の左右方向の表示位置である共通画像位置（例えば、「撮像画像の右」）を設定し、当該設定した共通画像位置によって初期位置を更新する（ステップＳ７１１）。なお、位置関係決定部２０４によって共通画像位置を設定する処理の詳細については後述する。
【００６５】
図９は、第１の実施の形態にかかる情報処理装置が有する位置関係記憶部に記憶される位置情報および共通画像位置の一例を示す図である。第２拠点の情報処理装置２Ｂが有する位置関係記憶部２０５は、図９に示すように、位置関係受信部２０３により受信した位置情報および共通画像位置を記憶する。
【００６６】
ここで、位置情報が「撮像部の左」である場合には、第１拠点の表示装置Ｈの表示画面Ｇに向かって撮像部Ｓの位置の左側に共通画像Ｐ１の表示位置が存在すること示している。位置情報が「撮像部の右」である場合には、第１拠点の表示装置Ｈの表示画面Ｇに向かって撮像部Ｓの位置の右側に共通画像Ｐ１の表示位置が存在することを示している。位置情報が「いずれでもない」である場合には、第１拠点の表示装置Ｈの表示画面Ｇに向かって撮像部Ｓを基準とする共通画像Ｐ１の左右方向の表示位置が特定できないことを示している。
【００６７】
また、共通画像位置が「撮像画像の左」である場合には、第２拠点の表示装置Ｈの表示画面Ｇに向かって撮像画像Ｐ３の表示位置の左側を共通画像Ｐ１の表示位置とすることを示している。また、共通画像位置が「撮像画像の右」である場合には、第２拠点の表示装置Ｈの表示画面Ｇに向かって撮像画像Ｐ３の表示位置の右側を共通画像Ｐ１の表示位置とすることを示している。
【００６８】
図７に戻り、初期位置が更新されると、映像スイッチ部２０６は、位置関係記憶部２０５に記憶された共通画像位置に基づいて、共通画像Ｐ１および映像受信部２０９により受信した撮像画像Ｐ３を左右方向に並べて表示画面Ｇに表示させる。本実施の形態では、映像スイッチ部２０６は、上述したように、共通画像位置に基づいて、共通画像Ｐ１および撮像画像Ｐ３それぞれを主表示装置Ｈ１および副表示装置Ｈ２のいずれに表示するかを判定し、その判定結果に応じて共通画像Ｐ１および撮像画像Ｐ３を映像出力部（第１出力部２０７、第２出力部２０８）に出力することにより、第２拠点の表示画面Ｇに向かって共通画像Ｐ１および撮像画像Ｐ３を左右方向に並べて表示させる。
【００６９】
例えば、第２拠点の映像スイッチ部２０６は、共通画像位置が「撮像画像の右」である場合、共通画像Ｐ１を第２出力部２０８に出力して副表示画面Ｇ２に表示するとともに撮像画像Ｐ３を第１出力部２０７に出力して主表示画面Ｇ１に表示する。これにより、第２拠点の表示画面Ｇに向かって、撮像画像Ｐ３の右側に共通画像Ｐ１が並べて表示される。
【００７０】
次に、図１０〜１４を用いて、位置関係決定部２０４による共通画像位置を設定する処理の詳細について説明する。図１０は、第１の実施の形態にかかる情報処理装置が有する位置関係決定部による共通画像位置を設定する処理の流れを示すフローチャートである。図１１〜１４は、第１の実施の形態にかかる情報処理装置による共通画像および撮像画像の表示位置を説明するための図である。以下の説明では、第２拠点の情報処理装置２Ｂが有する位置関係決定部２０４による共通画像位置の設定処理について説明するが、第１拠点の情報処理装置２Ａが有する位置関係決定部２０４による共通画像位置の設定処理も同様である。
【００７１】
第２拠点の情報処理装置２Ｂの位置関係決定部２０４は、位置関係受信部２０３により受信した位置情報を取得する（ステップＳ１００１）。そして、位置関係決定部２０４は、取得した位置情報が「撮像部の右」を示しているか否か（すなわち、第１拠点の表示装置Ｈの表示画面Ｇに向かって撮像部Ｓの位置を基準とする共通画像Ｐ１の左右方向の位置が、撮像部Ｓの位置の右側であるか）を判断する（ステップＳ１００２）。
【００７２】
取得した位置情報が「撮像部の右」を示している場合（ステップＳ１００２：Ｙｅｓ）、位置関係決定部２０４は、共通画像位置を「撮像画像の左」と設定する（ステップＳ１００３）。具体的には、取得した位置情報が「撮像部の右」を示している場合、第１拠点における共通画像Ｐ１の表示位置は、図１１に示すように、主表示画面Ｇ１および副表示画面Ｇ２に向かって撮像部Ｓの位置の右側となる。そして、第１拠点の参加者Ｕの視線は、主表示画面Ｇ１および副表示画面Ｇ２に向かって撮像部Ｓの位置の右側に向けられる。そのため、第１拠点の撮像部Ｓの撮像により得られる撮像画像Ｐ３は、図１１に示すように、左方向を向いた参加者Ｕを含む画像となる。
【００７３】
この場合、第２拠点の位置関係決定部２０４は、第２拠点の主表示画面Ｇ１および副表示画面Ｇ２に向かって撮像画像Ｐ３の表示位置を基準とする共通画像Ｐ１の表示位置（共通画像位置）を「撮像画像の左」に設定する。これにより、第２拠点の映像スイッチ部２０６は、図１１に示すように、共通画像Ｐ１を第１出力部２０７に出力して主表示画面Ｇ１に表示させるとともに、撮像画像Ｐ３を第２出力部２０８に出力して副表示画面Ｇ２に表示させる。
【００７４】
すなわち、第２拠点の位置関係決定部２０４および映像スイッチ部２０６は、図１１に示すように、第２拠点の表示装置Ｈ（主表示装置Ｈ１および副表示装置Ｈ２）に向かって撮像画像Ｐ３の表示位置を基準とする共通画像Ｐ１の左右方向の表示位置を、第１拠点の表示装置Ｈ（主表示装置Ｈ１および副表示装置Ｈ２）の表示画面Ｇ（主表示画面Ｇ１および副表示画面Ｇ２）に向かって撮像部Ｓの位置を基準とする共通画像Ｐ１の左右方向の表示位置の反対となるように、共通画像Ｐ１および撮像画像Ｐ３を第２拠点の表示装置Ｈに表示させる。本実施の形態では、位置関係決定部２０４および映像スイッチ部２０６が表示制御部として機能する。
【００７５】
これにより、第２拠点の副表示装置Ｈ２の副表示画面Ｇ２に表示された撮像画像Ｐ３に含まれる参加者Ｕの視線が向く方向（左方向）に、第２拠点の主表示装置Ｈ１の主表示画面Ｇ１に表示された共通画像Ｐ１が存在することとなるので、共通画像Ｐ１および撮像画像Ｐ３を表示画面Ｇ（主表示画面Ｇ１および副表示画面Ｇ２）に表示させる際に、撮像画像Ｐ３内の人物の視線が不自然になることを防止できる。
【００７６】
また、取得した位置情報が「撮像部の右」を示している場合であっても、第１拠点における、共通画像Ｐ１の表示位置と、撮像画像Ｐ２の表示位置と、撮像部Ｓの位置との位置関係が図１２に示す位置関係となっている場合には、第１拠点の参加者Ｕの視線は、主表示画面Ｇ１および副表示画面Ｇ２に向かって撮像部Ｓの位置の左側に向けられる。この場合、第１拠点の参加者Ｕの視線は、第１拠点の撮像部Ｓに向けられ、当該撮像部Ｓの撮像により得られる撮像画像Ｐ３は、図１２に示すように、正面を向いた参加者Ｕを含む画像となる。
【００７７】
そのため、第２拠点の位置関係決定部２０４が、第２拠点の主表示画面Ｇ１および副表示画面Ｇ２に向かって撮像画像Ｐ３の表示位置を基準とする共通画像Ｐ１の表示位置（共通画像位置）を「撮像画像の左」に設定して、図１２に示すように、共通画像Ｐ１が主表示画面Ｇ１に表示され、撮像画像Ｐ３が副表示画面Ｇ２に表示されたとしても、撮像画像Ｐ３内の参加者Ｕの視線は正面に向けられるため、撮像画像Ｐ３内の人物の視線が共通画像Ｐ１の表示位置との関係において不自然になることを防止できる。
【００７８】
一方、取得した位置情報が「撮像部の左」を示している場合（ステップＳ１００２：Ｎｏ）、位置関係決定部２０４は、共通画像位置を「撮像画像の右」と設定する（ステップＳ１００４）。具体的には、取得した位置情報が「撮像部の左」を示している場合、第１拠点における共通画像Ｐ１の表示位置は、図１３に示すように、主表示画面Ｇ１および副表示画面Ｇ２に向かって撮像部Ｓの位置の左側となる。そして、第１拠点の参加者Ｕの視線は、主表示画面Ｇ１および副表示画面Ｇ２に向かって撮像部Ｓの位置の左側に向けられる。そのため、第１拠点の撮像部Ｓの撮像により得られる撮像画像Ｐ３は、図１３に示すように、右方向を向いた参加者Ｕを含む画像となる。
【００７９】
この場合、第２拠点の位置関係決定部２０４は、第２拠点の主表示画面Ｇ１および副表示画面Ｇ２に向かって撮像画像Ｐ３の表示位置を基準とする共通画像Ｐ１の表示位置（共通画像位置）を「撮像画像の右」に設定する。これにより、第２拠点の映像スイッチ部２０６は、図１３に示すように、共通画像Ｐ１を第２出力部２０８に出力して副表示画面Ｇ２に表示させるとともに、撮像画像Ｐ３を第１出力部２０７に出力して主表示画面Ｇ１に表示させる。
【００８０】
すなわち、第２拠点の位置関係決定部２０４および映像スイッチ部２０６は、図１３に示すように、第２拠点の表示装置Ｈ（主表示装置Ｈ１および副表示装置Ｈ２）に向かって撮像画像Ｐ３の表示位置を基準とする共通画像Ｐ１の左右方向の表示位置を、第１拠点の表示装置Ｈ（主表示装置Ｈ１および副表示装置Ｈ２）の表示画面Ｇ（主表示画面Ｇ１および副表示画面Ｇ２）に向かって撮像部Ｓの位置を基準とする共通画像Ｐ１の左右方向の表示位置の反対となるように、共通画像Ｐ１および撮像画像Ｐ３を第２拠点の表示装置Ｈに表示させる。
【００８１】
これにより、第２拠点の主表示装置Ｈ１の主表示画面Ｇ１に表示された撮像画像Ｐ３に含まれる参加者Ｕの視線が向く方向（右方向）に、第２拠点の副表示装置Ｈ２の副表示画面Ｇ２に表示された共通画像Ｐ１が存在することとなるので、共通画像Ｐ１および撮像画像Ｐ３を表示画面Ｇ（主表示画面Ｇ１および副表示画面Ｇ２）に表示させる際に、撮像画像Ｐ３内の人物の視線が不自然になることを防止できる。
【００８２】
また、取得した位置情報が「撮像部の左」を示している場合であっても、第１拠点における、共通画像Ｐ１の表示位置と、撮像画像Ｐ２の表示位置と、撮像部Ｓの位置との位置関係が図１４に示す位置関係となっている場合には、第１拠点の参加者Ｕの視線は、主表示画面Ｇ１および副表示画面Ｇ２に向かって撮像部Ｓの位置の右側に向けられる。この場合、第１拠点の参加者Ｕの視線は、第１拠点の撮像部Ｓに向けられ、当該撮像部Ｓの撮像により得られる撮像画像Ｐ３は、図１４に示すように、正面を向いた参加者Ｕを含む画像となる。
【００８３】
そのため、第２拠点の位置関係決定部２０４が、第２拠点の主表示画面Ｇ１および副表示画面Ｇ２に向かって撮像画像Ｐ３の表示位置を基準とする共通画像Ｐ１の表示位置（共通画像位置）を「撮像画像の右」に設定して、図１４に示すように、共通画像Ｐ１が副表示画面Ｇ２に表示され、撮像画像Ｐ３が主表示画面Ｇ１に表示されたとしても、撮像画像Ｐ３内の参加者Ｕの視線は正面を向いているため、撮像画像Ｐ３内の人物の視線が共通画像Ｐ１の表示位置との関係において不自然になることを防止できる。
【００８４】
このように第１の実施の形態にかかる表示制御システム１によれば、第２拠点の表示装置Ｈに向かって撮像画像Ｐ３の表示位置を基準とする共通画像Ｐ１の左右方向の表示位置を、第１拠点の表示装置Ｈの表示画面Ｇに向かって撮像部Ｓの位置を基準とする共通画像Ｐ１の左右方向の表示位置の反対となるように、共通画像Ｐ１および撮像画像Ｐ３を第２拠点の表示装置Ｈに表示させることにより、撮像画像Ｐ３と共通画像Ｐ１とを第２拠点の表示装置Ｈに向かって左右方向に並べて表示させる際に、撮像画像Ｐ３中の参加者Ｕが共通画像Ｐ１を視認しており会議に関心を持っているように表示させることができ、共通画像Ｐ１について注目して話している雰囲気をスムーズに作ることができる。即ち、本実施の形態によれば、撮像画像Ｐ３と共通画像Ｐ１とを第２拠点の表示装置Ｈに向かって左右方向に並べて表示させる際に、撮像画像Ｐ３内の参加者Ｕの視線が不自然となることを防止できる。
【００８５】
（第２の実施の形態）
本実施の形態は、共通画像と、当該共通画像を表示可能な他の表示装置の表示画面側から当該表示画面の前方を撮像部により撮像して得られた撮像画像と、を当該他の表示装置とは異なる場所に設置された表示装置の一画面に表示する例である。以下の説明では、第１の実施形態と同様の箇所については説明を省略する。
【００８６】
図１５は、第２の実施の形態にかかる情報処理装置の構成を示す図である。本実施の形態にかかる情報処理装置１５００は、一つの表示装置Ｈを有し、共通画像Ｐ１および撮像画像Ｐ２（または撮像画像Ｐ３）を一画面（表示画面Ｇ）に表示する。本実施の形態では、情報処理装置１５００は、共通画像Ｐ１と撮像画像Ｐ２（または撮像画像Ｐ３）とを左右方向に並べて合成した一つの画像（以下、合成画像という）を生成し、生成した合成画像を表示画面Ｇに表示させる。
【００８７】
図１６は、第２の実施の形態にかかる情報処理装置の機能構成を示すブロック図である。図１６に示すように、情報処理装置１５００の制御部１５０１は、初期位置関係決定部２０１、位置関係送信部２０２、位置関係受信部２０３、位置関係決定部２０４、位置関係記憶部２０５、映像受信部２０９、情報取得部２１０、カメラ表示位置関係取得部２１１、映像合成部１５０２および出力部１５０３として機能する。以下の説明では、第１拠点に設置された情報処理装置１５００Ａの機能構成について説明するが、第２拠点に設置された情報処理装置１５００Ｂも同様である。
【００８８】
映像合成部１５０２は、位置関係記憶部２０５に記憶された初期位置（または共通画像位置）に基づいて、表示装置Ｈの表示画面Ｇに向かって共通画像Ｐ１の表示位置を撮像画像Ｐ３の表示位置の左右方向のいずれにするかを判定する。例えば、映像合成部１５０２は、初期位置または共通画像位置が「撮像画像の左」である場合、表示画面Ｇに向かって共通画像Ｐ１の表示位置を撮像画像Ｐ３の表示位置の左側と判定する。一方、映像合成部１５０２は、初期位置または共通画像位置が「撮像画像の右」である場合、表示画面Ｇに向かって共通画像Ｐ１の表示位置を撮像画像Ｐ３の表示位置の右側と判定する。
【００８９】
そして、映像合成部１５０２は、その判定結果に基づいて、共通画像Ｐ１と撮像画像Ｐ３とを左右方向に並べて合成した合成画像を生成し、生成した合成画像を出力部１５０３に出力する。
【００９０】
出力部１５０３は、映像合成部１５０２により生成された合成画像を表示装置Ｈに出力することにより、合成画像を表示画面Ｇに表示させる。
【００９１】
本実施の形態では、第１拠点の情報処理装置１５００Ａおよび第２拠点の情報処理装置１５００Ｂの双方が、それぞれ接続要求の受信側の情報処理装置１５００および接続要求の送信側の情報処理装置１５００となるように、同様の機能構成を有しているが、これに限定するものではない。図１７は、接続要求の受信側の情報処理装置の機能構成を示すブロック図である。図１８は、接続要求の送信側の情報処理装置の機能構成を示すブロック図である。例えば、接続要求を受信する側の情報処理装置１５００は、図１７に示すように、少なくとも、初期位置関係決定部２０１、位置関係送信部２０２、位置関係記憶部２０５、映像受信部２０９、情報取得部２１０、カメラ表示位置関係取得部２１１、映像合成部１５０２および出力部１５０３を有していれば良い。一方、接続要求を送信する側の情報処理装置１５００は、図１８に示すように、少なくとも、位置関係受信部２０３、位置関係決定部２０４、位置関係記憶部２０５、映像受信部２０９、情報取得部２１０、映像合成部１５０２および出力部１５０３を有していれば良い。
【００９２】
このように第２の実施の形態にかかる情報処理装置１５００によれば、共通画像Ｐ１と撮像画像Ｐ２（または撮像画像Ｐ３）とを一画面に表示することにより、各拠点に複数の表示装置Ｈを設置する必要がなくなるので、情報処理装置１５００にかかるコストを削減することができる。
【００９３】
（変形例１）
第１の実施の形態および第２の実施の形態では、共通画像と一つの他の拠点での撮像により得られた撮像画像とを左右方向に並べて表示する例について説明したが、共通画像と、複数の他の拠点での撮像により得られた複数の撮像画像とを、自拠点の表示装置に表示することも可能である。以下の説明では、第２の実施の形態と同様の箇所について説明を省略する。
【００９４】
第２拠点の位置関係受信部２０３は、第２拠点の情報処理装置１５００Ｂから第１拠点の情報処理装置１５００Ａおよび第３拠点の情報処理装置（図示しない）に対して接続要求を行った場合、第１拠点の情報処理装置１５００Ａおよび第３拠点の情報処理装置（図示しない）から送信された位置情報を受信する。
【００９５】
第２拠点の位置関係決定部２０４は、各拠点から受信した位置情報に基づいて、拠点毎に共通画像位置を設定し、設定した各拠点の共通画像位置によって、位置関係記憶部２０５に記憶された各拠点の初期位置を更新する。本変形例においては、初期位置関係決定部２０１は、拠点毎に初期位置を設定して、位置関係記憶部２０５に記憶させるものとする。
【００９６】
映像合成部１５０２は、位置関係記憶部２０５に記憶された各拠点の共通画像位置に基づいて、共通画像Ｐ１および映像受信部２０９により受信した撮像画像Ｐ３，Ｐ４を左右方向に並べて表示画面Ｇに表示させる。本変形例では、映像合成部１５０２は、拠点毎の共通画像位置に基づいて、表示画面Ｇに向かって共通画像Ｐ１の表示位置を、撮像画像Ｐ３の表示位置および撮像画像Ｐ４の表示位置それぞれの左右方向のいずれにするかを判定する。そして、映像合成部１５０２は、その判定結果に基づいて、共通画像Ｐ１と、撮像画像Ｐ３および撮像画像Ｐ４とを左右方向に並べて合成した合成画像を生成し、生成した合成画像を出力部１５０３に出力する。
【００９７】
図１９〜２１は、変形例１にかかる情報処理装置による共通画像および複数の撮像画像の表示例を示す図である。例えば、映像合成部１５０２は、第１拠点の共通画像位置および第３拠点の共通画像位置がともに「撮像画像の右」である場合、表示画面Ｇに向かって共通画像Ｐ１の表示位置を撮像画像Ｐ３および撮像画像Ｐ４の表示位置の右側と判定する。次いで、映像合成部１５０２は、共通画像Ｐ１が撮像画像Ｐ３および撮像画像Ｐ４の右側に位置し、かつ撮像画像Ｐ３および撮像画像Ｐ４が左右方向に並んだ合成画像を生成する。そして、映像合成部１５０２は、生成した合成画像を出力部１５０３に出力する。これにより、映像合成部１５０２は、図１９に示すように、表示画面Ｇに向かって共通画像Ｐ１の表示位置が撮像画像Ｐ３の表示位置および撮像画像Ｐ４の表示位置の右側となりかつ撮像画像Ｐ３の表示位置と撮像画像Ｐ４の表示位置が左右方向に並ぶように、共通画像Ｐ１と撮像画像Ｐ３と撮像画像Ｐ４とを表示画面Ｇに表示させる。
【００９８】
また、映像合成部１５０２は、第１拠点の共通画像位置が「撮像画像の左」であり、第３拠点の共通画像位置が「撮像画像の右」である場合、表示画面Ｇに向かって共通画像Ｐ１の表示位置を撮像画像Ｐ３の表示位置の右側と判定するとともに、表示画面Ｇに向かって共通画像Ｐ１の表示位置を撮像画像Ｐ４の表示位置の左側と判定する。次いで、映像合成部１５０２は、共通画像Ｐ１が撮像画像Ｐ３の左側に位置するとともに、共通画像Ｐ１が撮像画像Ｐ４の右側に位置する合成画像を生成する。そして、映像合成部１５０２は、生成した合成画像を出力部１５０３に出力する。これにより、映像合成部１５０２は、図２０に示すように、表示画面Ｇに向かって共通画像Ｐ１の表示位置が撮像画像Ｐ３の表示位置の左側となりかつ表示画面Ｇに向かって共通画像Ｐ１の表示位置が撮像画像Ｐ４の表示位置の右側になるように、共通画像Ｐ１と撮像画像Ｐ３と撮像画像Ｐ４とを表示画面Ｇに表示させる。
【００９９】
さらに、映像合成部１５０２は、第１拠点の共通画像位置および第３拠点の共通画像位置がともに「撮像画像の右」である場合、表示画面Ｇに向かって共通画像Ｐ１の表示位置を撮像画像Ｐ３および撮像画像Ｐ４の表示位置の右側と判定する。次いで、映像合成部１５０２は、共通画像Ｐ１が撮像画像Ｐ３および撮像画像Ｐ４の右側に位置し、かつ撮像画像Ｐ３および撮像画像Ｐ４が上下方向に並んだ合成画像を生成する。そして、映像合成部１５０２は、生成した合成画像を出力部１５０３に出力する。これにより、映像合成部１５０２は、図２１に示すように、表示画面Ｇに向かって共通画像Ｐ１の表示位置が撮像画像Ｐ３の表示位置および撮像画像Ｐ４の表示位置の右側となりかつ撮像画像Ｐ３の表示位置と撮像画像Ｐ４の表示位置が上下方向に並ぶように、共通画像Ｐ１と撮像画像Ｐ３と撮像画像Ｐ４とを表示画面Ｇに表示させる。
【０１００】
本変形例では、共通画像Ｐ１と、２つの拠点の撮像画像Ｐ３および撮像画像Ｐ４とを左右方向に並べて表示しているが、共通画像Ｐ１と、２以上の拠点の撮像画像とを左右方向に並べて表示することも可能である。さらに、本変形例では、複数の拠点の撮像画像Ｐ３および撮像画像Ｐ４を同時に表示しているが、撮像画像Ｐ３と撮像画像Ｐ４とを所定時間毎に切り替えて表示しても良い。
【０１０１】
このように変形例１にかかる情報処理装置１５００によれば、第１の実施の形態および第２の実施の形態と同様の作用効果を得ることができる。
【０１０２】
（第３の実施の形態）
本実施の形態は、他の拠点の表示装置の表示画面に向かって共通画像の表示位置を基準とする撮像画像の左右方向の表示位置を示す画像位置情報を受信し、当該受信した画像位置情報に基づいて、自拠点の表示装置の表示画面に向かって撮像画像の表示位置を基準とする共通画像の左右方向の表示位置の反対になるように、共通画像および撮像画像を自拠点の表示装置に表示させる例である。以下の説明では、第１の実施の形態と同様の箇所については説明を省略する。
【０１０３】
図２２および図２３は、第３の実施の形態にかかる情報処理装置における共通画像および撮像画像それぞれの左右方向の表示位置を説明するための図である。図２２（ａ）および図２３（ａ）は、第１拠点に設置された情報処理装置２２００Ａを、情報処理装置２２００Ａの上方から見た図である。図２２（ｂ）および図２３（ｂ）は、第２拠点に設置された主表示装置Ｈ１の主表示画面Ｇ１および副表示装置Ｈ２の副表示画面Ｇ２に対する共通画像Ｐ１および撮像画像Ｐ３それぞれの表示位置を説明するための図である。
【０１０４】
本実施の形態では、第１拠点に設置された情報処理装置２２００Ａは、第１拠点に設置された表示装置Ｈの表示画面Ｇに向かって共通画像Ｐ１の表示位置を基準とする撮像画像Ｐ２の表示位置に関する画像位置情報を、第２拠点に設置された情報処理装置２２００Ｂに送信する。また、第１拠点に設置された情報処理装置２２００Ａは、第２拠点に設置された表示装置Ｈの表示画面Ｇに向かって共通画像Ｐ１の表示位置を基準とする撮像画像Ｐ３の表示位置に関する画像位置情報を、第２拠点に設置された情報処理装置２２００Ｂから受信する。
【０１０５】
一方、第２拠点に設置された情報処理装置２２００Ｂは、第２拠点に設置された表示装置Ｈの表示画面Ｇに向かって共通画像Ｐ１の表示位置を基準とする撮像画像Ｐ３の表示位置に関する画像位置情報を、第１拠点に設置された情報処理装置２２００Ａに送信する。また、第２拠点に設置された情報処理装置２２００Ｂは、第１拠点に設置された表示装置Ｈの表示画面Ｇに向かって共通画像Ｐ１の表示位置を基準とする撮像画像Ｐ２の表示位置に関する画像位置情報を、第１拠点に設置された情報処理装置２２００Ａから受信する。
【０１０６】
ここで、第１拠点に設置された情報処理装置２２００Ａと第２拠点に設置された情報処理装置２２００Ｂとの間で送受信される画像位置情報について説明する。本実施の形態では、画像位置情報は、表示装置Ｈの表示画面Ｇに向かって共通画像Ｐ１の表示位置を基準とする撮像画像Ｐ２（または撮像画像Ｐ３）の左右方向の表示位置を示す情報である。具体的には、画像位置情報は、表示装置Ｈの表示画面Ｇに向かって、撮像画像Ｐ２（または撮像画像Ｐ３）の表示位置が、「共通画像の左」、「共通画像の右」および「いずれでもない」のいずれかを示す情報である。
【０１０７】
「共通画像の左」とは、表示装置Ｈの表示画面Ｇに向かって、共通画像Ｐ１の表示位置の左側に撮像画像Ｐ２（または撮像画像Ｐ３）の表示位置が存在することを示している。一方、「共通画像の右」とは、表示装置Ｈの表示画面Ｇに向かって、共通画像Ｐ１の表示位置の右側に撮像画像Ｐ２（または撮像画像Ｐ３）の表示位置が存在することを示している。また、「いずれでもない」とは、表示装置Ｈの表示画面Ｇに向かって共通画像Ｐ１の表示位置を基準とする撮像画像Ｐ２（または撮像画像Ｐ３）の表示位置を特定できない状態を表している。例えば、「いずれでもない」とは、表示装置Ｈの表示画面Ｇに何も表示されていない状態、表示装置Ｈの表示画面Ｇにおいて共通画像Ｐ１と撮像画像Ｐ２（または撮像画像Ｐ３）が上下方向に並んで表示されている状態などである。
【０１０８】
第１拠点に設置された情報処理装置２２００Ａは、第２拠点に設置された情報処理装置２２００Ｂから受信した画像位置情報に基づいて、第１拠点に設置された表示装置Ｈの表示画面Ｇに向かって撮像画像Ｐ２の表示位置を基準とする共通画像Ｐ１の左右方向の表示位置が反対となるように、共通画像Ｐ１および撮像画像Ｐ２を表示装置Ｈに表示させる。一方、第２拠点に設置された情報処理装置２２００Ｂは、第１拠点に設置された情報処理装置２２００Ａから受信した画像位置情報に基づいて、第２拠点に設置された表示装置Ｈの表示画面Ｇに向かって撮像画像Ｐ３の表示位置を基準とする共通画像Ｐ１の左右方向の表示位置が反対となるように、共通画像Ｐ１および撮像画像Ｐ３を表示装置Ｈに表示させる。
【０１０９】
ところで、図２２（ａ）に示すように、第１拠点の表示装置Ｈの表示画面Ｇに向かって撮像部Ｓの位置を基準とする、共通画像Ｐ１の左右方向の表示位置および撮像画像Ｐ２の左右方向の表示位置がいずれも撮像部Ｓの位置に対して同じ側に存在した場合、第１拠点の撮像部Ｓの撮像により得られる撮像画像Ｐ３内の参加者Ｕの視線は左方向を向く可能性が高い。この場合、第１拠点の情報処理装置２２００Ａは、「共通画像の右」を示す画像位置情報を第２拠点の情報処理装置２２００Ｂに送信する。そのため、第２拠点の情報処理装置２２００Ｂは、画像位置情報が示す「共通画像の右」に基づいて、第２拠点に設置された表示装置Ｈの表示画面Ｇに向かって、共通画像Ｐ１の表示位置の左側に、撮像画像Ｐ３を表示させるが、図２２（ｂ）に示すように、当該撮像画像Ｐ３内の参加者Ｕの視線は左方向を向いており、共通画像Ｐ１の表示位置の方向を向いておらず、撮像画像Ｐ３と共通画像Ｐ１とを左右方向に並べて表示させる際に、撮像画像Ｐ３内の参加者Ｕの視線が不自然となる可能性がある。
【０１１０】
しかしながら、図２３（ａ）に示すように、第１拠点の参加者Ｕが共通画像Ｐ１に視線を向けている場合、第１拠点の撮像部Ｓの撮像により得られる撮像画像Ｐ３内の参加者Ｕの視線は正面方向になる。この場合も、第２拠点の情報処理装置２２００Ｂは、画像位置情報が示す「共通画像の右」に基づいて、第２拠点に設置された表示装置Ｈの表示画面Ｇに向かって、共通画像Ｐ１の表示位置の左側に、撮像画像Ｐ３を表示させるため、図２３（ｂ）に示すように、当該撮像画像Ｐ３内の参加者Ｕの視線は左方向を向いているが、図２２（ｂ）に示す撮像画像Ｐ３内の参加者Ｕの視線方向よりも、共通画像Ｐ１の表示位置の方向に近づいているため、撮像画像Ｐ３と共通画像Ｐ１とを左右方向に並べて表示させる際に、撮像画像Ｐ３内の参加者Ｕの視線が不自然となることを防止できる。
【０１１１】
図２４は、第３の実施の形態にかかる情報処理装置の機能構成を示すブロック図である。図２４に示すように、情報処理装置２２００の制御部２２０１は、初期位置関係決定部２０１、位置関係送信部２２０２、位置関係受信部２２０３、位置関係決定部２２０４、位置関係記憶部２０５、映像スイッチ部２０６、第１出力部２０７、第２出力部２０８、映像受信部２０９および情報取得部２１０として機能する。以下の説明では、第２拠点に設置された情報処理装置２２００Ｂの機能構成について説明するが、第１拠点に設置された情報処理装置２２００Ａも同様である。
【０１１２】
位置関係送信部２２０２は、第１拠点の情報処理装置２２００Ａから自装置に対する接続要求があった場合に、その接続要求を受信し、第１拠点の情報処理装置２２００Ａとの通信が確立された段階で、位置関係記憶部２０５に記憶されている画像位置情報を、上記接続要求を行ってきた情報処理装置２２００に送信する。本実施の形態では、初期位置関係決定部２０１は、設定した初期位置に基づいて、画像位置情報を取得し、取得した画像位置情報を位置関係記憶部２０５に記憶させておくものとする。例えば、初期位置関係決定部２０１は、設定した初期位置が「撮像画像の左」である場合には、「共通画像の右」を画像位置情報として取得する。一方、初期位置関係決定部２０１は、設定した初期位置が「撮像画像の右」である場合には、「共通画像の左」を画像位置情報として取得する。
【０１１３】
位置関係受信部２２０３は、自装置から第１拠点の情報処理装置２２００Ａに対して接続要求を行う際に、自装置から第１拠点の情報処理装置２２００Ａに対して接続を要求し、第１拠点の情報処理装置２２００Ａとの通信が確立された段階で、第１拠点の情報処理装置２２００Ａから当該第１拠点の情報処理装置２２００Ａの位置関係記憶部２０５に記憶されている画像位置情報を受信する。
【０１１４】
位置関係決定部２２０４は、位置関係受信部２２０３が受信した画像位置情報に基づいて、第２拠点の表示装置Ｈの表示画面Ｇに向かって撮像画像Ｐ３の表示位置を基準とする共通画像Ｐ１の左右方向の表示位置である共通画像位置を設定し、該設定した共通画像位置によって初期位置を更新する。
【０１１５】
本実施の形態では、第１拠点の情報処理装置２２００Ａおよび第２拠点の情報処理装置２２００Ｂの双方が、それぞれ接続要求の受信側の情報処理装置２２００および接続要求の送信側の情報処理装置２２００となるように、同様の機能構成を有しているが、これに限定するものではない。図２５は、接続要求の受信側の情報処理装置の機能構成を示すブロック図である。図２６は、接続要求の送信側の情報処理装置の機能構成を示すブロック図である。例えば、接続要求を受信する側の情報処理装置２２００は、図２５に示すように、少なくとも、初期位置関係決定部２０１、位置関係送信部２２０２、位置関係記憶部２０５、映像スイッチ部２０６、第１出力部２０７、第２出力部２０８、映像受信部２０９および情報取得部２１０を有していれば良い。一方、接続要求を送信する側の情報処理装置２２００は、図２６に示すように、少なくとも、位置関係受信部２２０３、位置関係決定部２２０４、位置関係記憶部２０５、映像スイッチ部２０６、第１出力部２０７、第２出力部２０８、映像受信部２０９および情報取得部２１０を有していれば良い。
【０１１６】
次に、図２７を用いて、第３の実施の形態にかかる情報処理装置２２００における画像の表示処理について説明する。図２７は、第３の実施の形態にかかる情報処理装置における画像の表示処理の流れを示すフローチャートである。以下の説明では、第２拠点の情報処理装置２２００Ｂから第１拠点の情報処理装置２２００Ａに対して接続要求を行った場合における画像の表示処理について説明するが、第１拠点の情報処理装置２２００Ａから第２拠点の情報処理装置２２００Ｂに対して接続要求を行った場合における画像の表示処理も同様である。
【０１１７】
第１拠点の情報処理装置２２００Ａが接続要求を受信すると（ステップＳ７０８）、第１拠点の位置関係送信部２２０２は、位置関係記憶部２０５に記憶されている画像位置情報を、第２拠点の情報処理装置２２００Ｂに送信する（ステップＳ２７０１）。
【０１１８】
次に、第２拠点の情報処理装置２２００Ｂが有する位置関係受信部２２０３が、第１拠点の情報処理装置２２００Ａから送信された画像位置情報を受信する（ステップＳ２７０２）。続いて、第２拠点の位置関係決定部２２０４は、受信した画像位置情報に基づいて、第２拠点の表示装置Ｈの表示画面Ｇに向かって撮像画像Ｐ３の表示位置を基準とする共通画像Ｐ１の左右方向の表示位置である共通画像位置を設定し、当該設定した共通画像位置によって初期位置を更新する（ステップＳ２７０３）。
【０１１９】
次に、図２８を用いて、位置関係決定部２２０４による共通画像位置を設定する処理の詳細について説明する。図２８は、第３の実施の形態にかかる情報処理装置が有する位置関係決定部による共通画像位置を設定する処理の流れを示すフローチャートである。以下の説明では、第２拠点の情報処理装置２２００Ｂが有する位置関係決定部２２０４による共通画像位置の設定処理について説明するが、第１拠点の情報処理装置２２００Ａが有する位置関係決定部２２０４による共通画像位置の設定処理も同様である。
【０１２０】
第２拠点の情報処理装置２２００Ｂの位置関係決定部２２０４は、位置関係受信部２２０３により受信した画像位置情報を取得する（ステップＳ２８０１）。そして、位置関係決定部２２０４は、取得した画像位置情報が「共通画像の左」を示しているか否か（すなわち、第１拠点の表示装置Ｈの表示画面Ｇに向かって共通画像Ｐ１の表示位置を基準とする撮像画像Ｐ２の左右方向の位置が、共通画像Ｐ１の表示位置の左側であるか）を判断する（ステップＳ２８０２）。
【０１２１】
取得した画像位置情報が「共通画像の左」を示している場合（ステップＳ２８０２：Ｙｅｓ）、位置関係決定部２２０４は、共通画像位置を「撮像画像の左」と設定する（ステップＳ２８０３）。具体的には、取得した画像位置情報が「共通画像の左」を示している場合、第１拠点における共通画像Ｐ１の表示位置は、図１１に示すように、主表示画面Ｇ１および副表示画面Ｇ２に向かって撮像画像Ｐ２の表示位置の右側となる。そして、第１拠点の参加者Ｕの視線は、主表示画面Ｇ１および副表示画面Ｇ２に向かって撮像画像Ｐ２の表示位置の右側に向けられる。そのため、第１拠点の撮像部Ｓの撮像により得られる撮像画像Ｐ３は、図１１に示すように、左方向を向いた参加者Ｕを含む画像となる。
【０１２２】
この場合、第２拠点の位置関係決定部２２０４は、第２拠点の主表示画面Ｇ１および副表示画面Ｇ２に向かって撮像画像Ｐ３の表示位置を基準とする共通画像Ｐ１の表示位置（共通画像位置）を「撮像画像の左」に設定する。これにより、第２拠点の映像スイッチ部２０６は、図１１に示すように、共通画像Ｐ１を第１出力部２０７に出力して主表示画面Ｇ１に表示させるとともに、撮像画像Ｐ３を第２出力部２０８に出力して副表示画面Ｇ２に表示させる。
【０１２３】
すなわち、第２拠点の位置関係決定部２２０４および映像スイッチ部２０６は、図１１に示すように、第２拠点の表示装置Ｈ（主表示装置Ｈ１および副表示装置Ｈ２）に向かって撮像画像Ｐ３の表示位置を基準とする共通画像Ｐ１の左右方向の表示位置を、第１拠点の表示装置Ｈ（主表示装置Ｈ１および副表示装置Ｈ２）の表示画面Ｇ（主表示画面Ｇ１および副表示画面Ｇ２）に向かって撮像画像Ｐ２の位置を基準とする共通画像Ｐ１の左右方向の表示位置の反対となるように、共通画像Ｐ１および撮像画像Ｐ３を第２拠点の表示装置Ｈに表示させる。
【０１２４】
これにより、第２拠点の副表示装置Ｈ２の副表示画面Ｇ２に表示された撮像画像Ｐ３に含まれる参加者Ｕの視線が向く方向（左方向）に、第２拠点の主表示装置Ｈ１の主表示画面Ｇ１に表示された共通画像Ｐ１が存在することとなるので、共通画像Ｐ１および撮像画像Ｐ３を表示画面Ｇ（主表示画面Ｇ１および副表示画面Ｇ２）に表示させる際に、撮像画像Ｐ３内の人物の視線が不自然になることを防止できる。
【０１２５】
一方、取得した画像位置情報が「共通画像の右」を示している場合（ステップＳ２８０２：Ｎｏ）、位置関係決定部２２０４は、共通画像位置を「撮像画像の右」と設定する（ステップＳ２８０４）。具体的には、取得した画像位置情報が「共通画像の右」を示している場合、第１拠点における共通画像Ｐ１の表示位置は、図１３に示すように、主表示画面Ｇ１および副表示画面Ｇ２に向かって撮像画像Ｐ２の表示位置の左側となる。そして、第１拠点の参加者Ｕの視線は、主表示画面Ｇ１および副表示画面Ｇ２に向かって撮像画像Ｐ２の表示位置の左側に向けられる。そのため、第１拠点の撮像部Ｓの撮像により得られる撮像画像Ｐ３は、図１３に示すように、右方向を向いた参加者Ｕを含む画像となる。
【０１２６】
この場合、第２拠点の位置関係決定部２２０４は、第２拠点の主表示画面Ｇ１および副表示画面Ｇ２に向かって撮像画像Ｐ３の表示位置を基準とする共通画像Ｐ１の表示位置（共通画像位置）を「撮像画像の右」に設定する。これにより、第２拠点の映像スイッチ部２０６は、図１３に示すように、共通画像Ｐ１を第２出力部２０８に出力して副表示画面Ｇ２に表示させるとともに、撮像画像Ｐ３を第１出力部２０７に出力して主表示画面Ｇ１に表示させる。
【０１２７】
すなわち、第２拠点の位置関係決定部２２０４および映像スイッチ部２０６は、図１３に示すように、第２拠点の表示装置Ｈ（主表示装置Ｈ１および副表示装置Ｈ２）に向かって撮像画像Ｐ３の表示位置を基準とする共通画像Ｐ１の左右方向の表示位置を、第１拠点の表示装置Ｈ（主表示装置Ｈ１および副表示装置Ｈ２）の表示画面Ｇ（主表示画面Ｇ１および副表示画面Ｇ２）に向かって撮像画像Ｐ２の表示位置を基準とする共通画像Ｐ１の左右方向の表示位置の反対となるように、共通画像Ｐ１および撮像画像Ｐ３を第２拠点の表示装置Ｈに表示させる。
【０１２８】
これにより、第２拠点の主表示装置Ｈ１の主表示画面Ｇ１に表示された撮像画像Ｐ３に含まれる参加者Ｕの視線が向く方向（右方向）に、第２拠点の副表示装置Ｈ２の副表示画面Ｇ２に表示された共通画像Ｐ１が存在することとなるので、共通画像Ｐ１および撮像画像Ｐ３を表示画面Ｇ（主表示画面Ｇ１および副表示画面Ｇ２）に表示させる際に、撮像画像Ｐ３内の人物の視線が不自然になることを防止できる。
【０１２９】
このように第３の実施の形態にかかる情報処理装置２２００によれば、第１拠点の表示装置Ｈの表示画面Ｇに向かって共通画像Ｐ１の表示位置を基準とする撮像画像Ｐ２の左右方向の表示位置を示す画像位置情報を受信し、当該受信した画像位置情報に基づいて、第２拠点の表示装置Ｈの表示画面Ｇに向かって撮像画像Ｐ３の表示位置を基準とする共通画像Ｐ１の左右方向の表示位置の反対になるように、共通画像Ｐ１および撮像画像Ｐ３を第２拠点の表示装置Ｈに表示させることにより、第１の実施の形態と同様の作用効果を得ることができる。
【０１３０】
（第４の実施の形態）
本実施の形態は、表示装置に向かって当該表示装置の位置を基準とする、当該表示装置から所定範囲内に位置する人物の左右方向の位置である人物位置を検知し、当該表示装置に向かって撮像画像の表示位置を基準とする共通画像の左右方向の表示位置を、検知された人物位置側にする例である。以下の説明では、第１の実施の形態と同様の箇所については説明を省略する。
【０１３１】
図２９および図３０は、第４の実施の形態にかかる表示制御システムの構成を示す図である。本実施の形態にかかる表示制御システム２９１０においては、図２９に示すように、第１拠点において、表示装置Ｈから所定範囲内の説明者Ｅの位置が当該表示装置Ｈに向かって当該表示装置Ｈの左側である場合、第１拠点の情報処理装置２９００Ａは、表示装置Ｈに向かって撮像画像Ｐ２の表示位置を基準とする共通画像Ｐ１の左右方向の表示位置を、説明者Ｅの位置側（すなわち、表示画面Ｇに向かって撮像画像Ｐ２の左側）にする。
【０１３２】
一方、図２９に示すように、第２拠点においては、表示装置Ｈの位置から所定範囲内に説明者Ｅがいないため、第２拠点の情報処理装置２９００Ｂは、第１拠点の情報処理装置２９００Ａから受信した位置情報（例えば、「撮像部の左」）に基づいて、表示装置Ｈに向かって撮像画像Ｐ３の表示位置を基準とする共通画像Ｐ１の左右方向の表示位置が反対になるように（例えば、表示装置Ｈに向かって撮像画像Ｐ３の右側に共通画像Ｐ１が表示されるように）、撮像画像Ｐ３および共通画像Ｐ１を表示装置Ｈに表示させる。
【０１３３】
これにより、第１拠点においては表示装置Ｈの表示画面Ｇの左右方向のどちらに共通画像Ｐ１が表示されているかを説明者Ｅが把握して移動しなくても、表示画面Ｇの左右方向のうち説明者Ｅが移動した方向に共通画像Ｐ１が表示されるので、説明者Ｅが移動しやすい位置において共通画像Ｐ１の説明等を行うことができる。また、第２拠点においては、撮像画像Ｐ３と共通画像Ｐ１とを左右方向に並べて表示させる際に、撮像画像Ｐ３内の参加者Ｕおよび説明者Ｅの視線が共通画像Ｐ１の方向に向くこととなり、撮像画像Ｐ３内の参加者Ｕおよび説明者Ｅの視線が不自然になることを防止できる。さらに、第２拠点においては、撮像画像Ｐ３内の説明者Ｅの近傍に共通画像Ｐ１が表示されることとなり、撮像画像Ｐ３内の説明者Ｅと共通画像Ｐ１とを視線を移動させることなく、同時に見ることができる。
【０１３４】
また、図２９に示す状態から、第２拠点の参加者Ｕが共通画像Ｐ１の近くに移動して当該共通画像Ｐ１の説明を行う場合（図３０参照）、表示装置Ｈに向かって当該表示装置Ｈの右側に移動すると考えられる。この場合、第２拠点においても、移動した参加者Ｕ（説明者Ｅ）の近くに共通画像Ｐ１が表示されることとなり、参加者Ｕは視線を移動することなく共通画像Ｐ１と説明者Ｅとの両方を見ることができる。
【０１３５】
また、本実施の形態では、第１拠点および第２拠点の両拠点における説明者Ｅの位置が同じである場合、両拠点における撮像画像Ｐ２（または撮像画像Ｐ３）の表示位置と共通画像Ｐ１の表示位置との位置関係が同じになってしまい、両拠点において撮像画像Ｐ２（または撮像画像Ｐ３）内の参加者Ｕの視線が共通画像Ｐ１の方向に向けられず不自然になる可能性がある。しかし、本実施の形態では、説明者Ｅが共通画像Ｐ１の表示位置を意識することなく共通画像Ｐ１の近くで当該共通画像Ｐ１の表示内容を説明できるという効果を優先して、表示装置Ｈの表示画面Ｇに向かって撮像画像Ｐ２（または撮像画像Ｐ３）の表示位置を基準とする共通画像Ｐ１の左右方向の表示位置を、説明者Ｅの位置側とする。
【０１３６】
図３１は、第４の実施の形態にかかる情報処理装置の機能構成を示すブロック図である。図３１に示すように情報処理装置２９００の制御部２９０１は、位置関係送信部２０２、位置関係受信部２０３、位置関係記憶部２０５、映像スイッチ部２０６、第１出力部２０７、第２出力部２０８、映像受信部２０９、情報取得部２１０、カメラ表示位置関係取得部２１１、初期位置関係決定部２９０２、説明者検知部２９０３および位置関係決定部２９０４として機能する。以下の説明では、第２拠点に設置された情報処理装置２９００Ｂの機能構成について説明するが、第１拠点に設置された情報処理装置２９００Ａも同様である。
【０１３７】
説明者検知部２９０３は、第２拠点の表示装置Ｈに向かって当該表示装置Ｈの位置を基準とする、当該表示装置Ｈから所定範囲内に位置する説明者Ｅ（人物）の左右方向の位置である説明者位置（人物位置）を検知する。本実施の形態では、説明者検知部２９０３は、第２拠点の情報処理装置２９００Ｂが有する撮像部Ｓの撮像により得られた撮像画像Ｐ２およびマイク部２８から入力された音声の少なくとも一つに基づいて、第２拠点の表示装置Ｈから所定範囲内（例えば、表示装置Ｈから３０ｃｍ以内）に説明者Ｅ（人物）が位置するかを検知する。さらに、説明者検知部２９０３は、第２拠点の表示装置Ｈから所定範囲内に説明者Ｅが位置する場合に、説明者位置を検知する。ここで、説明者Ｅとは、表示装置Ｈから所定範囲内に居る参加者Ｕ、共通画像Ｐ１を指差している参加者Ｕ、共通画像Ｐ１に関する発言を行っている参加者Ｕなどである。所定範囲は、情報処理装置２９００のユーザが任意に設定可能である。
【０１３８】
図３２は、第４の実施の形態にかかる情報処理装置が有する説明者検知部による説明者位置の検知処理を説明するための図である。説明者検知部２９０３は、図３２に示すように、撮像部Ｓの撮像により得られた撮像画像Ｐ２のうち右半分のＲ領域または左半分のＬ領域のいずれに説明者Ｅが存在するのかを判定する。説明者検知部２９０３は、図３２に示すような撮像画像Ｐ２が得られた場合、説明者ＥがＲ領域に存在すると判定する。例えば、説明者検知部２９０３は、特許第４３８９９５６号公報に開示される技術を利用して、説明者Ｅの存在および説明者位置を検知する。
【０１３９】
具体的には、説明者検知部２９０３は、撮像部Ｓの撮像により得られた撮像画像Ｐ２において顔認識処理を実行し、顔の高さが他の顔より２０ｃｍ以上高い位置にいる説明者Ｅが撮像画像Ｐ２に含まれる場合には表示装置Ｈから所定範囲内に説明者Ｅが位置するとともに、撮像画像Ｐ２中の右側（Ｒ領域）にいるのか左側（Ｌ領域）にいるのかを判定する。
【０１４０】
または、説明者検知部２９０３は、撮像部Ｓの撮像により得られた撮像画像Ｐ２において顔認識処理を実行し、撮像画像Ｐ２内の表示装置Ｈから所定距離内に説明者Ｅの顔があるか否かにより、表示装置Ｈから所定範囲内に位置する説明者Ｅを検知する。そして、表示装置Ｈから所定範囲内に位置する説明者Ｅを検知した場合、説明者検知部２９０３は、撮像画像Ｐ２内の表示装置Ｈから所定距離内に位置する説明者Ｅの顔のうち表示位置に最も近い位置に顔がある説明者Ｅが撮像画像Ｐ２中の右側（Ｒ領域）にいるのか左側（Ｌ領域）にいるのかを判定する。
【０１４１】
本実施の形態では、説明者検知部２９０３は、情報処理装置２９００の起動時に説明者位置を検知するものとするが、これに限定するものではなく、例えば、拠点間の情報処理装置２９００において情報（例えば、撮像画像Ｐ２，Ｐ３や音声など）の送受信が行われている間（会議等が行われている間）、一定時間毎に説明者位置の検知を行っても良い。これにより、会議等が行われている間に、説明者Ｅが居なくなったり、新たに説明者Ｅが現れたりした場合等に、説明者位置を新たに検知して、新たに検知した説明者位置に応じて共通画像Ｐ１の表示位置を変更できるので、常に、共通画像Ｐ１と説明者Ｅとの両方を見ることができる。
【０１４２】
初期位置関係決定部２９０２は、情報処理装置２９００が起動されると処理を開始し、まず、説明者検知部２９０３により説明者Ｅの説明者位置を検知させる。そして、初期位置関係決定部２９０２は、説明者検知部２９０３により説明者位置が検知され、検知された説明者位置が撮像画像Ｐ２内のＲ領域に存在すると判定された場合には、共通画像位置として「撮像画像の右」を設定し、検知された説明者位置が撮像画像Ｐ２内のＬ領域に存在すると判定された場合には、共通画像位置として「撮像画像の左」を設定する。
【０１４３】
また、初期位置関係決定部２９０２は、説明者検知部２９０３により説明者位置が検知されなかった場合、予め初期位置として設定するように定められている情報（「撮像画像の左」または「撮像画像の右」）を設定する。
【０１４４】
本実施の形態では、位置関係決定部２９０４は、位置関係受信部２０３が受信した位置情報と、説明者検知部２９０３が検知した説明者位置とに基づいて、共通画像位置を設定し、該設定した共通画像位置を位置関係記憶部２０５に記憶させる。
【０１４５】
図３１に示す情報処理装置２９００の機能構成では、位置情報の送受信を行うための機能構成を有する形態について説明したが、これに限定されず、図３３に示すように、位置情報の送信のみを行うための機能構成を有する形態とすることも可能である。図３３に示すように、位置情報の送信のみを行うための機能構成としては、図３１における位置関係受信部２０３および位置関係決定部２９０４を省略した構成となる。
【０１４６】
次に、図３４を用いて、位置関係決定部２９０４による共通画像位置を設定する処理の詳細について説明する。図３４は、第４の実施の形態にかかる情報処理装置が有する位置関係決定部による共通画像位置を設定する処理の流れを示すフローチャートである。以下の説明では、第２拠点の情報処理装置２９００Ｂが有する位置関係決定部２９０４による共通画像位置の設定処理について説明するが、第１拠点の情報処理装置２９００Ａが有する位置関係決定部２９０４による共通画像位置の設定処理も同様である。
【０１４７】
位置関係決定部２９０４は、説明者検知部２９０３による説明者Ｅの存在および説明者位置の検知結果を取得する（ステップＳ３４０１）。続いて、位置関係決定部２９０４は、説明者検知部２９０３により説明者Ｅの存在が検知されなかった場合（ステップＳ３４０２：Ｎｏ）、ステップＳ１００１に進む。
【０１４８】
一方、説明者Ｅの存在が検知された場合（ステップＳ３４０２：Ｙｅｓ）、位置関係決定部２９０４は、検知された説明者位置が撮像画像Ｐ２内のＲ領域（右側）に存在するか否かを判定する（ステップＳ３４０３）。この判定の結果、説明者位置がＲ領域に存在すると判定した場合（ステップＳ３４０３：Ｙｅｓ）、位置関係決定部２９０４は、共通画像位置として「撮像画像の右」を設定する、即ち、撮像映像Ｐ３を共通画像Ｐ１の右側に表示することを設定する（ステップＳ１００４）。一方、説明者位置がＲ領域に存在しない、即ち、Ｌ領域（左側）に存在すると判定した場合（ステップＳ３４０３：Ｎｏ）、位置関係決定部２９０４は、共通画像位置として「撮像画像の左」を設定する、即ち、撮像画像Ｐ３を共通画像Ｐ１の左側に表示することを設定する（ステップＳ１００３）。
【０１４９】
このように第４の実施の形態によれば、第２拠点の表示装置Ｈに向かって当該表示装置Ｈの位置を基準とする、当該表示装置Ｈから所定範囲内に位置する説明者Ｅの左右方向の位置である説明者位置を検知し、当該表示装置Ｈに向かって撮像画像Ｐ３の表示位置を基準とする共通画像Ｐ１の左右方向の表示位置を、検知された説明者位置側にすることにより、第２拠点において説明者Ｅが存在する側に共通画像Ｐ１が表示される。これにより、第１拠点においては、第２拠点の説明者Ｅが共通画像Ｐ１を指差して説明しているように表示され、他方、第２拠点においては、第１拠点の参加者Ｕが共通画像Ｐ１を見ているように表示されるので、電子会議を行う複数の拠点間で資料などの共通画像Ｐ１について注目して話している雰囲気をスムーズに作ることができる。
【０１５０】
第１〜４の実施の形態では、各拠点に設置された情報処理装置が、自装置が備える表示装置に対する共通画像および撮像画像の表示位置を制御しているが、これに限定するものではない。例えば、各拠点に設置された情報処理装置とネットワークを介して接続されたサーバが、各拠点に設置された情報処理装置が備える表示装置に対する共通画像および撮像画像の表示位置を制御しても良い。その場合は、サーバが、表示装置に対する共通画像および撮像画像の表示位置を制御する情報処理装置として機能する。また、各拠点に設置された情報処理装置は、当該情報処理装置が設置された拠点と同じ拠点に設置された外部の表示装置（すなわち、情報処理装置が備える表示装置以外の表示装置）に対して、共通画像および撮像画像を表示させるとともに、当該共通画像および撮像画像の表示位置を制御しても良い。
【０１５１】
本実施形態の情報処理装置で実行されるプログラムは、インストール可能な形式又は実行可能な形式のファイルでＣＤ−ＲＯＭ、フレキシブルディスク（ＦＤ）、ＣＤ−Ｒ、ＤＶＤ（Digital  Versatile  Disk）等のコンピュータで読み取り可能な記録媒体に記録されて提供される。
【０１５２】
また、本実施形態の情報処理装置で実行されるプログラムを、インターネット等のネットワークに接続されたコンピュータ上に格納し、ネットワーク経由でダウンロードさせることにより提供するように構成しても良い。また、本実施形態の情報処理装置で実行されるプログラムをインターネット等のネットワーク経由で提供または配布するように構成しても良い。
【０１５３】
また、本実施形態のプログラムを、ＲＯＭ等に予め組み込んで提供するように構成してもよい。
【０１５４】
本実施の形態の情報処理装置で実行されるプログラムは、上述した各部（初期位置関係決定部、位置関係送信部、位置関係受信部、位置関係決定部、映像スイッチ部、第１出力部、第２出力部、映像受信部、情報取得部、カメラ表示位置関係取得部、映像合成部、出力部および説明者検知部）を含むモジュール構成となっており、実際のハードウェアとしてはＣＰＵ（プロセッサ）が上記記憶媒体からプログラムを読み出して実行することにより上記各部が主記憶装置上にロードされ、初期位置関係決定部、位置関係送信部、位置関係受信部、位置関係決定部、映像スイッチ部、第１出力部、第２出力部、映像受信部、情報取得部、カメラ表示位置関係取得部、映像合成部、出力部および説明者検知部が主記憶装置上に生成されるようになっている。
【符号の説明】
【０１５５】
１，２９１０  表示制御システム
２，１５００，２２００，２９００  情報処理装置
２０，１５０１，２２０１，２９０１  制御部
２０１，２９０２  初期位置関係決定部
２０２，２２０２  位置関係送信部
２０３，２２０３  位置関係受信部
２０４，２２０４，２９０４  位置関係決定部
２０５  位置関係記憶部
２０６  映像スイッチ部
２０７  第１出力部
２０８  第２出力部
２０９  映像受信部
２１０  情報取得部
２１１  カメラ表示位置関係取得部
１５０２  映像合成部
１５０３  出力部
２９０３  説明者検知部
Ｈ  表示装置
Ｈ１  主表示装置
Ｈ２  副表示装置
Ｇ  表示画面
Ｇ１  主表示画面
Ｇ２  副表示画面
Ｓ  撮像部
Ｐ１  共通画像
Ｐ２，Ｐ３  撮像画像
【先行技術文献】
【特許文献】
【０１５６】
【特許文献１】特開平８−２５６３１６号公報
【図１】
2014175941.tif 000003
【図２】
2014175941.tif 000004
【図３】
2014175941.tif 000005
【図４】
2014175941.tif 000006
【図５】
2014175941.tif 000007
【図６】
2014175941.tif 000008
【図７】
2014175941.tif 000009
【図８】
2014175941.tif 000010
【図９】
2014175941.tif 000011
【図１０】
2014175941.tif 000012
【図１１】
2014175941.tif 000013
【図１２】
2014175941.tif 000014
【図１３】
2014175941.tif 000015
【図１４】
2014175941.tif 000016
【図１５】
2014175941.tif 000017
【図１６】
2014175941.tif 000018
【図１７】
2014175941.tif 000019
【図１８】
2014175941.tif 000020
【図１９】
2014175941.tif 000021
【図２０】
2014175941.tif 000022
【図２１】
2014175941.tif 000023
【図２２】
2014175941.tif 000024
【図２３】
2014175941.tif 000025
【図２４】
2014175941.tif 000026
【図２５】
2014175941.tif 000027
【図２６】
2014175941.tif 000028
【図２７】
2014175941.tif 000029
【図２８】
2014175941.tif 000030
【図２９】
2014175941.tif 000031
【図３０】
2014175941.tif 000032
【図３１】
2014175941.tif 000033
【図３２】
2014175941.tif 000034
【図３３】
2014175941.tif 000035
【図３４】
2014175941.tif 000036